(57)【特許請求の範囲】
【請求項１】
情報を表示するための表示部と、
複数の商品をコーディネートして撮像されたコーディネート画像を前記表示部に表示させる表示制御手段と、を備え、
前記表示制御手段は、前記コーディネート画像中でコーディネートされている各商品の商品名を前記コーディネート画像と共に前記表示部に表示させるとともに、前記コーディネート画像中でコーディネートされている複数の商品それぞれが属するカテゴリの組み合わせが記憶部に記憶された割引ルールを満たした場合に、当該割引ルールに基づく割引情報を前記コーディネート画像と共に前記表示部に表示させる情報表示装置。
【請求項２】
前記表示部の表示面上に積層配置され、前記表示部に表示された情報を選択指定するタッチパネルを備え、
前記表示制御手段は、前記コーディネート画像中でコーディネートされている各商品の商品名を、前記タッチパネルにより選択指定可能なオブジェクトとして表示させる請求項１に記載の情報表示装置。
【請求項３】
コーディネートする商品を特定する商品コードを記憶する無線タグから、前記商品コードを読み取る無線通信部を備え、
前記表示制御手段は、前記無線通信部により読み取った前記商品コードにより特定される商品をコーディネートして撮像された前記コーディネート画像を前記表示部に表示させる請求項１または２に記載の情報表示装置。
【請求項４】
前記表示制御手段は、前記コーディネート画像中でコーディネートされている各商品の商品名および価格を、個々に、前記タッチパネルにより選択指定可能なオブジェクトとして前記表示部に表示させる請求項２に記載の情報表示装置。
【請求項５】
情報を表示するための表示部を備える情報表示装置を制御するコンピュータを、
複数の商品をコーディネートして撮像されたコーディネート画像を前記表示部に表示させる表示制御手段として機能させ、
前記表示制御手段は、前記コーディネート画像中でコーディネートされている各商品の商品名を前記コーディネート画像と共に前記表示部に表示させるとともに、前記コーディネート画像中でコーディネートされている複数の商品それぞれが属するカテゴリの組み合わせが記憶部に記憶された割引ルールを満たした場合に、当該割引ルールに基づく割引情報を前記コーディネート画像と共に前記表示部に表示させる情報表示装置用のコンピュータプログラム。
【請求項６】
前記情報表示装置は、前記表示部の表示面上に積層配置され、前記表示部に表示された情報を選択指定するタッチパネルを備え、
前記表示制御手段は、前記コーディネート画像中でコーディネートされている各商品の商品名を、前記タッチパネルにより選択指定可能なオブジェクトとして表示させる請求項５に記載の情報表示装置用のコンピュータプログラム。
【発明の詳細な説明】
【技術分野】
【０００１】
本発明の実施形態は、衣類をコーディネートして撮像されたコーディネート画像を記憶保存しておき、記憶保存しているコーディネート画像を顧客に公開できるようにしたシステムを構築するための情報表示装置及び情報表示装置用のコンピュータプログラムに関する。
【背景技術】
【０００２】
衣類は、試着した状態を見なければそのイメージを掴みにくい。しかも、衣類を着こなすにはコーディネートが必要である。そこで、近年、ブティックでの販売形態として、その店舗や系列店舗等で販売している衣類を店員自らがコーディネートして試着し、コーディネートのセンスも含めて顧客にその商品を訴求していくような販売形態が一般化している。ここでは、便宜上、そのような販売形態を「コーディネート販売」と呼ぶことにする。
【０００３】
この出願の発明者等は、ＩＴ技術を利用してコーディネート販売を支援できるようにした技術について、先行技術調査をしてみた。その結果、特許文献１を見出した。
【０００４】
特許文献１には、コーディネート情報を登録し（段落００７２〜００７９参照）、登録したコーディネート情報を照会・表示できるようにした技術が記載されている（段落００８０〜００９４参照）。この場合のコーディネート情報の表示は、テキストデータのリスト表示である（段落００９１参照）。もっとも、コーディネート情報に含まれている個々の商品については、画像情報を表示することも示唆されている（段落００９２参照）。
【発明の概要】
【発明が解決しようとする課題】
【０００５】
ブティック等の衣料品を扱う店舗では、在庫一掃セールによる値引き販売や季節遅れ商品の値引き販売を行なうことがある。この場合、値引き対象となる商品を決定する権限を持つのは、一般的には、店舗やその店舗を擁する企業の経営陣である。
【０００６】
その一方、上記コーディネート販売においては、衣類をコーディネートするのは店員であるのに対して、店員は値引き対象となる商品を決定する権限を持たないことが多い。ところが、店舗で実際に接客に当たるのは衣類をコーディネートする店員であるため、商品の価格が販売促進に与える影響について経営陣以上に高い感度を持っているのは店舗の店員であることも少なくない。つまり、コーディネート販売という販売形態を採用する場合、店舗の店員は、顧客の動向を肌で感じているが故に、衣類のコーディネートという美的側面でも販売促進という営業的側面でも、共に高いスキルと経験とを有していることになる。
【０００７】
しかしながら、前述したように、値引き販売においては、店舗の店員は値引き対象となる商品を決定する権限を持たないことが多い。このため、店員は、もしも値引きによる販売促進を図りたい場合にはコーディネートという美的要素を犠牲にせざるを得ず、自由なコーディネートを主体に販売を進めていく場合にはせっかくの値引き設定を生かすことができずに営業的要素を犠牲にせざるを得ない。
【課題を解決するための手段】
【０００８】
実施形態の情報表示装置は、表示部と、表示制御手段と、を備える。前記表示部は、情報を表示するためのものである。前記表示制御手段は、複数の商品をコーディネートして撮像されたコーディネート画像を前記表示部に表示させる。また、前記表示制御手段は、前記コーディネート画像中でコーディネートされている各商品の商品名を前記コーディネート画像と共に前記表示部に表示させるとともに、前記コーディネート画像中でコーディネートされている複数の商品それぞれが属するカテゴリの組み合わせが記憶部に記憶された割引ルールを満たした場合に、当該割引ルールに基づく割引情報を前記コーディネート画像と共に前記表示部に表示させる。
【図面の簡単な説明】
【０００９】
【図１】本実施の形態のシステム全体の構成を示すブロック図である。
【図２】コーディネート情報登録フェーズ、コーディネート情報閲覧フェーズ及び決済フェーズでの基本的な処理内容を模式的に示す模式図である。
【図３】情報蓄積装置を示す外観斜視図である。
【図４】情報表示装置を示す外観斜視図である。
【図５】ＰＯＳ端末を示す外観斜視図である。
【図６】情報蓄積装置の電気的接続のブロック図である。
【図７】情報表示装置の電気的接続のブロック図である。
【図８】ＰＯＳ端末の電気的接続のブロック図である。
【図９】ホストコンピュータのＨＤＤに記録されている商品マスタエリアの記録データを示す模式図である。
【図１０】ホストコンピュータのＨＤＤに記録されている店員マスタエリアの記録データを示す模式図である。
【図１１】ホストコンピュータのＨＤＤに記録されている顧客マスタエリアの記録データを示す模式図である。
【図１２】ホストコンピュータのＨＤＤに記録されている利用範囲マスタエリアの記録データを示す模式図である。
【図１３】ホストコンピュータのＨＤＤに記録されているメタ画像蓄積エリアの記録データを示す模式図である。
【図１４】ホストコンピュータのＨＤＤに記録されているコーディネート情報エリアの記録データを示す模式図である。
【図１５】ホストコンピュータのＨＤＤに記録されている割引ルールエリアの記録データを示す模式図である。
【図１６】操作端末の表示部に表示される割引ルール設定画面の一例を示す模式図である。
【図１７】情報蓄積装置で実行される割引ルール閲覧処理の流れを示すフローチャートである。
【図１８】情報蓄積装置の液晶ディスプレイ（表示部）に表示される割引ルール閲覧画面の一例を示す模式図である。
【図１９】情報蓄積装置で実行されるコーディネート情報登録処理の流れを示すフローチャートである。
【図２０】情報蓄積装置の液晶ディスプレイ（表示部）に表示される利用範囲選択画面の一例を示す模式図である。
【図２１】情報蓄積装置の液晶ディスプレイ（表示部）に表示されるコーディネート編集画面の一例を示す模式図である。
【図２２】情報蓄積装置の液晶ディスプレイ（表示部）に表示されるコーディネート画像表示後のコーディネート編集画面の一例を示す模式図である。
【図２３】情報蓄積装置の液晶ディスプレイ（表示部）に表示されるコーディネート画像表示後であって店員コード入力後のコーディネート編集画面の一例を示す模式図である。
【図２４】情報蓄積装置の液晶ディスプレイ（表示部）に表示されるコーディネート画像表示後であって店員コード及び商品コード入力後のコーディネート編集画面の一例を示す模式図である。
【図２５】情報蓄積装置の液晶ディスプレイ（表示部）に表示される利用許諾画面の一例を示す模式図である。
【図２６】情報表示装置で実行されるコーディネート情報閲覧処理の流れを示すフローチャートである。
【図２７】情報表示装置の液晶ディスプレイ（表示部）に表示されるコーディネート一覧画面の一例を示す模式図である。
【図２８】情報表示装置の液晶ディスプレイ（表示部）に表示されるタグ情報待機画面の一例を示す模式図である。
【図２９】情報表示装置の液晶ディスプレイ（表示部）に表示される商品別コーディネート一覧画面の一例を示す模式図である。
【図３０】情報表示装置の液晶ディスプレイ（表示部）に表示されるコーディネート画面の一例を示し、（ａ）は割引ルール適用なしの場合の模式図、（ｂ）は割引ルール適用ありの場合の模式図である。
【図３１】ＰＯＳ端末（商品販売データ処理装置）で実行される決済処理の流れを示すフローチャートである。
【発明を実施するための形態】
【００１０】
本実施の形態を図１ないし図３１に基づいて説明する。本実施の形態では、次に示す目次項目に沿って説明を進める。
【００１１】
―目    次―
１．基本構成
２．割引ルール設定フェーズ
３．割引ルール閲覧フェーズ
４．コーディネート情報登録フェーズ
５．コーディネート情報閲覧フェーズ
６．決済フェーズ
１．基本構成
図１は、本実施の形態のシステム全体の構成を示すブロック図である。本実施の形態のシステムは、本部Ｈに設置される機器と個々の店舗Ｓに設置される機器とが通信回線網５１を介してデータ送受信自在に接続されて構築されている。
【００１２】
本部Ｈに設置される機器は、本部システムを構成するホストコンピュータ１１及び操作端末１２である。本部Ｈには、通信回線網５１に接続して本部Ｈ以外の場所に設置されている外部機器との間でデータ通信を司る本部ＷＥＢサーバ１３も設置され、この本部ＷＥＢサーバ１３とホストコンピュータ１１及び操作端末１２とが構内ネットワーク１４を介して相互にデータ送受信自在に接続されている。
【００１３】
ホストコンピュータ１１は、内蔵するＨＤＤ１５に各種のデータを記憶保存し、それらのデータの一部はデータベースを構築する。図１に示すように、ＨＤＤ１５には、プログラムエリアＰＡ、商品マスタエリア２１、店員マスタエリア２２、顧客マスタエリア２３、利用範囲マスタエリア２４、メタ画像蓄積エリア２５、コーディネート情報エリア２６、及び割引ルールエリア２７が設けられている。プログラムエリアＰＡには、ＯＳ及びコンピュータプログラム等がインストールされている。これらのＯＳ及びコンピュータプログラム等は、ホストコンピュータ１１の起動時にその全部又は一部がＲＡＭにコピーされてＣＰＵにアクセスされる（いずれも図示せず）。ＣＰＵは、こうしてコピーされたＯＳ及びコンピュータプログラムに従った処理を実行する。
【００１４】
操作端末１２は、ＣＰＵ、ＲＯＭ及びＲＡＭから構成されるマイクロコンピュータと各種データがインストールされたＨＤＤとを備えるコンピュータである（いずれも図示せず）。操作端末１２は、操作入力部１６と表示部１７とを備え、これらの操作入力部１６及び表示部１７を用いて、ホストコンピュータ１１が管理する各種データを入力するために用いられる。各種のデータは、例えば、ホストコンピュータ１１のＨＤＤ１５に設けられている商品マスタエリア２１、店員マスタエリア２２、顧客マスタエリア２３、利用範囲マスタエリア２４及び割引ルールエリア２７等に記憶保存されているデータである。
【００１５】
店舗Ｓに設置される機器は、情報蓄積装置１０１、情報表示装置１２１及び商品販売データ処理装置としてのＰＯＳ端末１４１である。情報蓄積装置１０１は、個々の店舗Ｓの店員がその店舗Ｓで売っている衣類である商品ＡＬをコーディネートしたコーディネート画像等を含むコーディネート情報を取り込むために使用される。情報表示装置１２１は、顧客がそのようなコーディネート画像を含むコーディネート情報を閲覧するために使用される。ＰＯＳ端末１４１は、個々の店舗Ｓでの商品販売データ処理を含む決済のために使用される。
【００１６】
個々の店舗Ｓに設置される情報蓄積装置１０１、情報表示装置１２１及びＰＯＳ端末１４１は、本部Ｈに設置されるホストコンピュータ１１と通信回線網５１を介してデータ送受信自在に接続されて構築されている。そのために、本部Ｈに本部ＷＥＢサーバ１３が設置されているのと同様に、店舗Ｓにも通信回線網５１に接続し、当該店舗Ｓ以外の場所に設置されている外部機器との間でデータ通信を司る店舗ＷＥＢサーバ１６１が設置されている。そして、店舗ＷＥＢサーバ１６１と情報蓄積装置１０１、情報表示装置１２１及びＰＯＳ端末１４１は、構内ネットワーク１８１を介して相互にデータ送受信自在に接続されている。
【００１７】
図２は、コーディネート情報登録フェーズ、コーディネート情報閲覧フェーズ及び決済フェーズでの基本的な処理内容を模式的に示す模式図である。コーディネート情報登録フェーズ及びコーディネート情報閲覧フェーズは、個々の店舗Ｓと本部Ｈとの間のデータ通信によって実行される。
【００１８】
まず、コーディネート情報登録フェーズでは、情報蓄積装置１０１を利用した店員によるコーディネート情報の登録を受け付ける。つまり、情報蓄積装置１０１は、コーディネート情報の登録支援のための表示及び情報入力を可能とし、店員によって入力されたコーディネート情報をメモリに記憶する。この場合のコーディネート情報は、その店舗Ｓで販売している衣類を店員がコーディネートして撮像したコーディネート画像、そのモデルとなっている店員を特定する店員コード及びコーディネートして試着している衣類を特定する商品コード等である。
【００１９】
情報蓄積装置１０１は、コーディネート情報登録フェーズにおいて、店舗ＷＥＢサーバ１６１及び通信回線網５１を介してホストコンピュータ１１とデータ通信を実行し、コーディネート情報をホストコンピュータ１１のＨＤＤ１５に記憶保存すべき保存指令をホストコンピュータ１１に送信する。
【００２０】
次いで、コーディネート情報閲覧フェーズでは、情報表示装置１２１を利用した顧客へのコーディネート情報の閲覧を許容する。つまり、情報表示装置１２１は、コーディネート情報登録フェーズで本部Ｈに設置されているホストコンピュータ１１のＨＤＤ１５に記憶保存されたコーディネート情報を顧客に提供する。この際のコーディネート情報の提供の中心をなすのは、コーディネート画像である。より詳細には、情報表示装置１２１は、顧客によるコーディネート画像の閲覧を可能とする。
【００２１】
情報表示装置１２１は、コーディネート情報閲覧フェーズにおいて、店舗ＷＥＢサーバ１６１及び通信回線網５１を介してホストコンピュータ１１とデータ通信を実行し、ホストコンピュータ１１のＨＤＤ１５からコーディネート情報を取得する。
【００２２】
次いで、決済フェーズでは、個々の店舗ＳのＰＯＳ端末１４１によって発生した売上データを、店舗ＷＥＢサーバ１６１を介して本部Ｈのホストコンピュータ１１に送信する。本部Ｈのホストコンピュータ１１では、個々の店舗Ｓから集めた上記売上データを記憶保存して管理する。
【００２３】
図３は、情報蓄積装置１０１を示す外観斜視図である。情報蓄積装置１０１は、各部を収納する平べったい本体部１０２の上面に情報を表示する表示部としての液晶ディスプレイ１０３が載置されて構成されたコンピュータである。液晶ディスプレイ１０３には、その表示面１０４の上に情報を操作入力する操作入力部としてのタッチパネル１０５が積層配置されている。液晶ディスプレイ１０３には、そのフレーム１０６の上部にカメラ１０７も取り付けられている。カメラ１０７は、そのレンズ１０８を表示面１０４と同じ正面側に配置し、液晶ディスプレイ１０３を閲覧する閲覧者の画像を撮像できるように配置されている。
【００２４】
図４は、情報表示装置１２１を示す外観斜視図である。情報表示装置１２１は、情報を表示する表示部としての液晶ディスプレイ１２２のハウジング１２３の内部に、各部を収納した構造のコンピュータである。液晶ディスプレイ１２２には、その表示面１２４上に情報を操作入力する操作入力部としてのタッチパネル１２５が積層配置されている。ハウジング１２３は、スタンド１２６に角度可変自在に保持されている。これにより、操作者は、液晶ディスプレイ１２２による情報の閲覧角度及びタッチパネル１２５による情報の操作入力角度を所望の角度に設定することができる。
【００２５】
図５は、ＰＯＳ端末１４１を示す外観斜視図である。ＰＯＳ端末１４１は、各部を収納する平べったい本体部１４２の上面に、手前側に位置させて情報を操作入力する操作入力部としてのキーボード１４３が配置され、奥側に位置させて店員に向けて情報を表示する表示部としての液晶ディスプレイによって形成された店員用ディスプレイ１４４が角度可変自在に取り付けられて構成されたコンピュータである。ＰＯＳ端末１４１は、本体部１４２の上面右側に磁気カード用のカード走査溝１４５を備え、上面左側にレシートＲを発行するためのレシート発行口１４６を備えている。ＰＯＳ端末１４１は、磁気カード用のカードリーダライタ１４７を内蔵し、例えばクレジットカードに記録されている情報をカードリーダライタ１４７によって読み取り可能である。また、ＰＯＳ端末１４１は、レシートプリンタ１４８を内蔵し、レシートＲを印字してレシート発行口１４６から発行することが可能である。このようなＰＯＳ端末１４１は、本体部１４２の背面に顧客に向けて情報を表示する表示部としての顧客用ディスプレイ１４９（図８参照）も備えている。
【００２６】
ここで、図１に示すように、操作端末１２、情報蓄積装置１０１、情報表示装置１２１及びＰＯＳ端末１４１には、それぞれ、ＲＦＩＤリーダライタ１８、１１１、１３１、１５１が接続されている。これらのＲＦＩＤリーダライタ１８、１１１、１３１、１５１は、例えば１３．５６ＭＨｚ帯を使用する電磁誘導方式による近距離無線通信をＲＦＩＤチップとの間で実行する。本実施の形態においては、被写体となる店員、商品ＡＬ及び顧客にＲＦＩＤチップが付帯している。つまり、被写体となる店員は、自己（店員）を特定する識別コードである店員コードを記憶するＲＦＩＤチップを内蔵するＩＤカード（図示せず）を所持する。商品ＡＬには、その商品ＡＬを特定する商品コードを記憶するＲＦＩＤチップを内蔵する無線タグＲＴが付されている（図１参照）。そして、顧客は、自己（顧客）を特定する識別コードである顧客コードを記憶するＲＦＩＤチップを内蔵する会員カード（図示せず）を所持する。したがって、ＲＦＩＤリーダライタ１１１、１３１、１５１は、被写体となる店員が所持するＩＤカードからその店員を特定する店員コードを受信し、商品ＡＬに付された無線タグＲＴからはその商品ＡＬを特定する商品コードを受信し、顧客が所持する会員カードからその顧客を特定する顧客コードを受信し、これらの受信した店員コード、商品コード及び顧客コードを出力する。
【００２７】
別の一例として、被写体となる店員を特定する店員コード、商品ＡＬを特定する商品コード、顧客を特定する顧客コードは、別の機器で読み取られたり入力されたりして、マイクロコンピュータ２０１（図６参照）に取り込まれる構成であっても良い。一例として、液晶ディスプレイ１０３にテンキーを表示しておき、表示されているテンキーに従ったタッチパネル１０５での入力によって店員コード、商品コード、顧客コードを入力するようにしても良い。別の一例として、バーコードや２次元コード等のコードシンボルとして表現された店員コード、商品コード、顧客コードを用意しておき、これらのコードシンボルをコードリーダによって光学的に読み取ることで入力するようにしても良い。
【００２８】
また、図１に示すように、情報表示装置１２１にはプリンタ１３２も接続されている。このプリンタ１３２は、クーポン券Ｃを印字発行するのに使用される。
【００２９】
図６は、情報蓄積装置１０１の電気的接続のブロック図である。図６に示すように、情報蓄積装置１０１には、情報処理部としてのマイクロコンピュータ２０１が備えられており、このマイクロコンピュータ２０１が各部を駆動制御する。マイクロコンピュータ２０１は、各部を集中的に制御するＣＰＵ２０２に、バスライン２０３を介してＢＩＯＳ等の固定的情報を予め記憶するＲＯＭ２０４と、各種情報を書き換え自在に記憶してワークエリア等として機能するメモリとしてのＲＡＭ２０５とを接続して構成している。したがって、マイクロコンピュータ２０１は、情報処理を実行する情報処理部を構成する。なお、図６では、ＣＰＵ２０２、ＲＯＭ２０４及びＲＡＭ２０５を単一構成物として表示しているが、これらのＣＰＵ２０２、ＲＯＭ２０４及びＲＡＭ２０５は、複数の固体に分割されて構成されていてもよい。特に、ＲＡＭ２０５として表示している構成物は、少なくとも、ワークエリアとして用いられるチップと画像メモリを構成するチップとを含んでいる。
【００３０】
マイクロコンピュータ２０１には、バスライン２０３を介してＩ／ＯインターフェースＩＦが接続されている。そして、Ｉ／ＯインターフェースＩＦには、入力コントローラ２０６、ビデオコントローラ２０７、ＨＤＤ２０８、及びシリアルポート２０９が接続されている。
【００３１】
Ｉ／ＯインターフェースＩＦに接続されているシリアルポート２０９には、無線通信部としてのＲＦＩＤリーダライタ１１１、カメラ１０７及びネットワークカード２１０が接続されている。このようなシリアルポート２０９には、例えばデジタルカメラである外部カメラ（図示せず）等の外部機器を接続することも可能である。
【００３２】
シリアルポート２０９に接続されているＲＦＩＤリーダライタ１１１については、既に説明した通りである。マイクロコンピュータ２０１は、ＲＦＩＤリーダライタ１１１が出力した店員コード、商品コード及び顧客コードをシリアルポート２０９からＩ／ＯインターフェースＩＦを介して取り込む。
【００３３】
シリアルポート２０９に接続されているカメラ１０７は、レンズ１０８から取り込んだ画像を２次元ＣＣＤアレイ（図示せず）に結像させ、ＣＣＤアレイの出力を増幅、Ａ／Ｄ変換、フィルタリング等して出力するデジタルカメラである。外部カメラ（図示せず）も、基本的には同様な構造を有するデジタルカメラである。マイクロコンピュータ２０１は、カメラ１０７や外部カメラが出力した撮像データをシリアルポート２０９からＩ／ＯインターフェースＩＦを介して取り込む。
【００３４】
シリアルポート２０９に接続されているネットワークカード２１０は、マイクロコンピュータ２０１を構内ネットワーク１８１へ接続させ、情報表示装置１２１、ＰＯＳ端末１４１及び店舗ＷＥＢサーバ１６１と情報蓄積装置１０１との間の相互のデータ通信を可能とする。この意味で、ネットワークカード２１０は、外部機器である本部Ｈに設置されているホストコンピュータ１１、情報表示装置１２１、商品販売データ処理装置であるＰＯＳ端末１４１との間でデータを送受信するデータ送受信部としての機能を提供する。
【００３５】
Ｉ／ＯインターフェースＩＦに接続されている入力コントローラ２０６には、タッチパネル１０５が接続されている。入力コントローラ２０６は、タッチパネル１０５からの入力信号をマイクロコンピュータ２０１に取り込む。
【００３６】
Ｉ／ＯインターフェースＩＦに接続されているビデオコントローラ２０７には、液晶ディスプレイ１０３が接続されている。ビデオコントローラ２０７は、画像データに基づいて液晶ディスプレイ１０３を駆動制御し、画像データに応じた画像を液晶ディスプレイ１０３に表示させる。
【００３７】
Ｉ／ＯインターフェースＩＦに接続されているＨＤＤ２０８には、プログラムエリアＰＡが設けられている。プログラムエリアＰＡには、ＯＳ及びコンピュータプログラム等がインストールされている。これらのＯＳ及びコンピュータプログラム等は、情報蓄積装置１０１の起動時にその全部又は一部がＲＡＭ２０５にコピーされてＣＰＵ２０２にアクセスされる。ＣＰＵ２０２は、ＲＡＭ２０５をワークエリアとして使用しつつ、コピーされたＯＳ及びコンピュータプログラムに従った処理を実行する。したがって、ＲＡＭ２０５及びＨＤＤ２０８は、記憶部としての機能を提供することになる。
【００３８】
図７は、情報表示装置１２１の電気的接続のブロック図である。図７に示すように、情報表示装置１２１には、情報処理部としてのマイクロコンピュータ２２１が備えられており、このマイクロコンピュータ２２１が各部を駆動制御する。マイクロコンピュータ２２１は、各部を集中的に制御するＣＰＵ２２２に、バスライン２２３を介してＢＩＯＳ等の固定的情報を予め記憶するＲＯＭ２２４と、各種情報を書き換え自在に記憶してワークエリア等として機能するＲＡＭ２２５とが接続されて構成されている。したがって、マイクロコンピュータ２２１は、情報処理を実行する情報処理部を構成する。なお、図７では、ＣＰＵ２２２、ＲＯＭ２２４及びＲＡＭ２２５を単一構成物として表示しているが、これらのＣＰＵ２２２、ＲＯＭ２２４及びＲＡＭ２２５は、複数の固体に分割されて構成されていてもよい。特に、ＲＡＭ２２５として表示している構成物は、少なくとも、ワークエリアとして用いられるチップと画像メモリを構成するチップとを含んでいる。
【００３９】
マイクロコンピュータ２２１には、バスライン２２３を介してＩ／ＯインターフェースＩＦが接続されている。そして、Ｉ／ＯインターフェースＩＦには、入力コントローラ２２６、ビデオコントローラ２２７、ＨＤＤ２２８、及びシリアルポート２２９が接続されている。
【００４０】
Ｉ／ＯインターフェースＩＦに接続されているシリアルポート２２９には、無線通信部としてのＲＦＩＤリーダライタ１３１及びネットワークカード２３０が接続されている。
【００４１】
シリアルポート２２９に接続されているＲＦＩＤリーダライタ１３１については、既に説明した通りである。マイクロコンピュータ２２１は、ＲＦＩＤリーダライタ１３１が出力した店員コード、商品コード及び顧客コードをシリアルポート２２９からＩ／ＯインターフェースＩＦを介して取り込む。
【００４２】
シリアルポート２２９に接続されているプリンタ１３２については、既に説明した通りである。マイクロコンピュータ２２１は、ＲＡＭ２２５の画像メモリに生成した画像データに従った印字データを印字制御信号と共にシリアルポート２２９からＩ／ＯインターフェースＩＦを介してプリンタ１３２に送信出力し、プリンタ１３２にその印字データに応じた印字動作を実行させる。
【００４３】
シリアルポート２２９に接続されているネットワークカード２３０は、マイクロコンピュータ２２１を構内ネットワーク１８１へ接続させ、情報蓄積装置１０１、ＰＯＳ端末１４１及び店舗ＷＥＢサーバ１６１と情報表示装置１２１との間の相互のデータ通信を可能とする。この意味で、ネットワークカード２３０は、外部機器である本部Ｈに設置されているホストコンピュータ１１、情報蓄積装置１０１、商品販売データ処理装置であるＰＯＳ端末１４１との間でデータを送受信するデータ送受信部としての機能を提供する。
【００４４】
Ｉ／ＯインターフェースＩＦに接続されている入力コントローラ２２６には、タッチパネル１２５が接続されている。入力コントローラ２２６は、タッチパネル１２５からの入力信号をマイクロコンピュータ２２１に取り込む。
【００４５】
Ｉ／ＯインターフェースＩＦに接続されているビデオコントローラ２２７には、液晶ディスプレイ１２２が接続されている。ビデオコントローラ２２７は、画像データに基づいて液晶ディスプレイ１２２を駆動制御し、画像データに応じた画像を液晶ディスプレイ１２２に表示させる。
【００４６】
Ｉ／ＯインターフェースＩＦに接続されているＨＤＤ２２８には、プログラムエリアＰＡが設けられている。プログラムエリアＰＡには、ＯＳ及びコンピュータプログラム等がインストールされている。これらのＯＳ及びコンピュータプログラム等は、情報表示装置１２１の起動時にその全部又は一部がＲＡＭ２２５にコピーされてＣＰＵ２２２にアクセスされる。ＣＰＵ２２２は、ＲＡＭ２２５をワークエリアとして使用しつつ、コピーされたＯＳ及びコンピュータプログラムに従った処理を実行する。したがって、ＲＡＭ２２５及びＨＤＤ２２８は、記憶部としての機能を提供することになる。
【００４７】
図８は、ＰＯＳ端末１４１の電気的接続のブロック図である。図８に示すように、ＰＯＳ端末１４１には、情報処理部としてのマイクロコンピュータ２４１が備えられており、このマイクロコンピュータ２４１が各部を駆動制御する。マイクロコンピュータ２４１は、各部を集中的に制御するＣＰＵ２４２に、バスライン２４３を介してＢＩＯＳ等の固定的情報を予め記憶するＲＯＭ２４４と、各種情報を書き換え自在に記憶してワークエリア等として機能するＲＡＭ２４５とが接続されて構成されている。したがって、マイクロコンピュータ２４１は、情報処理を実行する情報処理部を構成する。なお、図８では、ＣＰＵ２４２、ＲＯＭ２４４及びＲＡＭ２４５を単一構成物として表示しているが、これらのＣＰＵ２４２、ＲＯＭ２４４及びＲＡＭ２４５は、複数の固体に分割されて構成されていてもよい。特に、ＲＡＭ２４５として表示している構成物は、少なくとも、ワークエリアとして用いられるチップと画像メモリを構成するチップとを含んでいる。
【００４８】
マイクロコンピュータ２４１には、バスライン２４３を介してＩ／ＯインターフェースＩＦが接続されている。そして、Ｉ／ＯインターフェースＩＦには、入力コントローラ２４６、ビデオコントローラ２４７、ＨＤＤ２４８、及びシリアルポート２４９が接続されている。
【００４９】
Ｉ／ＯインターフェースＩＦに接続されているシリアルポート２４９には、無線通信部としてのＲＦＩＤリーダライタ１５１及びネットワークカード２５０が接続されている。
【００５０】
シリアルポート２４９に接続されているＲＦＩＤリーダライタ１５１については、既に説明した通りである。マイクロコンピュータ２４１は、ＲＦＩＤリーダライタ１５１が出力した店員コード、商品コード及び顧客コードをシリアルポート２４９からＩ／ＯインターフェースＩＦを介して取り込む。
【００５１】
シリアルポート２４９に接続されているカードリーダライタ１４７については、既に説明した通りである。マイクロコンピュータ２４１は、カードリーダライタ１４７が出力した磁気カードの読み取りデータをシリアルポート２４９からＩ／ＯインターフェースＩＦを介して取り込む。
【００５２】
シリアルポート２４９に接続されているレシートプリンタ１４８については、既に説明した通りである。マイクロコンピュータ２４１は、ＲＡＭ２４５の画像メモリに生成した画像データに従った印字データを印字制御信号と共にシリアルポート２４９からＩ／ＯインターフェースＩＦを介してレシートプリンタ１４８に送信出力し、レシートプリンタ１４８にその印字データに応じた印字動作を実行させる。
【００５３】
シリアルポート２４９に接続されているネットワークカード２５０は、マイクロコンピュータ２４１を構内ネットワーク１８１へ接続させ、情報蓄積装置１０１、情報表示装置１２１及び店舗ＷＥＢサーバ１６１とＰＯＳ端末１４１との間の相互のデータ通信を可能とする。この意味で、ネットワークカード２５０は、外部機器である本部Ｈに設置されているホストコンピュータ１１、情報蓄積装置１０１及び情報表示装置１２１との間でデータを送受信するデータ送受信部としての機能を提供する。
【００５４】
Ｉ／ＯインターフェースＩＦに接続されている入力コントローラ２４６には、キーボード１４３が接続されている。入力コントローラ２４６は、キーボード１４３からの入力信号をマイクロコンピュータ２４１に取り込む。
【００５５】
Ｉ／ＯインターフェースＩＦに接続されているビデオコントローラ２４７には、店員用ディスプレイ１４４と顧客用ディスプレイ１４９とが接続されている。ビデオコントローラ２４７は、画像データに基づいて店員用ディスプレイ１４４及び顧客用ディスプレイ１４９を駆動制御し、画像データに応じた画像を店員用ディスプレイ１４４及び顧客用ディスプレイ１４９に表示させる。
【００５６】
Ｉ／ＯインターフェースＩＦに接続されているＨＤＤ２４８には、プログラムエリアＰＡが設けられている。プログラムエリアＰＡには、ＯＳ及びコンピュータプログラム等がインストールされている。これらのＯＳ及びコンピュータプログラム等は、ＰＯＳ端末１４１の起動時にその全部又は一部がＲＡＭ２４５にコピーされてＣＰＵ２４２にアクセスされる。ＣＰＵ２４２は、ＲＡＭ２４５をワークエリアとして使用しつつ、コピーされたＯＳ及びコンピュータプログラムに従った処理を実行する。したがって、ＲＡＭ２４５及びＨＤＤ２４８は、記憶部としての機能を提供することになる。
【００５７】
ここで、本部Ｈに設置されているホストコンピュータ１１のＨＤＤ１５に記憶保存されているデータについて説明する。図１に基づいて前述したように、ＨＤＤ１５には、プログラムエリアＰＡ、商品マスタエリア２１、店員マスタエリア２２、顧客マスタエリア２３、利用範囲マスタエリア２４、メタ画像蓄積エリア２５、コーディネート情報エリア２６、及び割引ルールエリア２７が設けられている。プログラムエリアＰＡについては、前述した通りである。商品マスタエリア２１の詳細については、図９に基づいて後述する。店員マスタエリア２２の詳細については、図１０に基づいて後述する。顧客マスタエリア２３の詳細については、図１１に基づいて後述する。利用範囲マスタエリア２４の詳細については、図１２に基づいて後述する。メタ画像蓄積エリア２５の詳細については図１３に基づいて、コーディネート情報エリア２６の詳細については図１４に基づいて、それぞれ後述する。そして、割引ルールエリア２７の詳細については、図１５に基づいて後述する。
【００５８】
図９は、情報蓄積装置１０１のＨＤＤ２０８に記録されている商品マスタエリア２１（商品データベース）の記録データを示す模式図である。商品マスタエリア２１は、個々の商品ＡＬを特定する商品ＩＤ（商品コード）に商品名称、カテゴリ、価格及び原価を対応付けて記憶している。
【００５９】
商品ＩＤ（商品コード）は、同一の商品ＡＬであってもサイズ違い及び色違いの場合には、異なるコードで管理している。但し、同一の商品ＡＬのサイズ違い及び色違いに関しては、商品ＩＤ（商品コード）上で同一の商品ＡＬであることが識別できるよう、コードが体系化されている。つまり、同一の商品ＡＬであってもサイズ違い及び色違いの場合には異なる商品ＩＤ（商品コード）が付されているが、そのコード中の一部は共通化されており、サイズ違い又は色違いではあるが同一の商品ＡＬであることが分かるようなコード体系が採用されている。
【００６０】
商品ＩＤ（商品コード）に対応付けられている個々の商品ＡＬのカテゴリは、所定の分類体系の下で決められているその商品ＡＬの分類名を定義している。図９に示す一例では、所定の分類体系として季節による分類体系が採用されている。例えば、「秋」、「オールシーズン」、「夏」、「春、秋」というように、各商品ＡＬがカテゴライズされている。
【００６１】
商品ＩＤ（商品コード）に対応付けられている個々の商品ＡＬの価格は顧客に対する販売価格、原価は仕入れ値である。
【００６２】
したがって、商品マスタエリア２１は、個々の商品ＩＤ（商品コード）によって特定される商品ＡＬに対応させて少なくとも商品ＡＬの価格を含む商品情報を記憶保存する商品情報データベースを構築している。
【００６３】
図１０は、情報蓄積装置１０１のＨＤＤ２０８に記録されている店員マスタエリア２２の記録データを示す模式図である。店員マスタエリア２２は、被写体となる店員を特定する店員ＩＤ（店員コード）に対応付けて、被写体の氏名（テキストデータ）、所属店舗（テキストデータ）、ポイント（英数字データ）、及び画像利用の許諾ステータスを記憶している。店員ＩＤ（店員コード）は、情報蓄積装置１０１に対するログインに際して特定される。
【００６４】
図１１は、情報蓄積装置１０１のＨＤＤ２０８に記録されている顧客マスタエリア２３の記録データを示す模式図である。顧客マスタエリア２３は、顧客を特定する顧客ＩＤ（顧客コード）に対応付けて、顧客の氏名（テキストデータ）、購入履歴（テキストデータ）及びポイント（英数字データ）を記憶している。顧客ＩＤ（顧客コード）は、情報蓄積装置１０１に対するログインに際して特定される。
【００６５】
ここで、店員ＩＤ（店員コード）は、それ自体、店員のコードであることを示す全ての店員ＩＤ（店員コード）に共通するコードを含んでいる。また、顧客ＩＤ（顧客コード）は、それ自体、顧客のコードであることを示す全ての顧客ＩＤ（顧客コード）に共通するコードを含んでいる。これにより、図１０に示す店員マスタエリア２２及び図１１に示す顧客マスタエリア２３は、ログイン可能な２種類のコード体系に基づく識別コード（店員コード及び顧客コード）を定義するログインテーブルとして機能する。
【００６６】
図１２は、情報蓄積装置１０１のＨＤＤ２０８に記録されている利用範囲マスタエリア２４の記録データを示す模式図である。利用範囲マスタエリア２４は、利用範囲を特定する利用範囲ＩＤに利用範囲を対応付けて記憶している。利用範囲というのは、カメラ１０７や外部カメラ（図示せず）による撮像画像の利用範囲を意味している。例えば、店員が所属する自店舗でのみ利用、自店舗に加えて自店舗以外の店舗での利用（公開利用）、自他店舗に加えてＷＥＢでの利用（ＷＥＢ利用）等が利用範囲として規定されている。一例として、利用範囲ＩＤがＡである場合の利用範囲は、店員が所属する自店舗でのみ利用と定義され、利用範囲ＩＤがＢである場合の利用範囲は、公開利用と定義され、利用範囲ＩＤがＣである場合の利用範囲は、ＷＥＢ利用と定義されている。
【００６７】
図１３は、情報蓄積装置１０１のＨＤＤ２０８に記録されているメタ画像蓄積エリア２５の記録データを示す模式図である。メタ画像蓄積エリア２５は、カメラ１０７や外部カメラ（図示せず）によって撮像されてマイクロコンピュータ２０１に取り込まれた画像を特定する画像ＩＤに、カメラ１０７や外部カメラ（図示せず）による撮像画像であるコーディネート画像のデータであるバイナリデータとそのパス名とを対応付けて記憶している。パス名には、バイナリデータのデータ形式が含まれている。そこで、別の実施の形態として、バイナリデータそのものはメタ画像蓄積エリア２５には蓄積せずにいずれかの記憶領域に記憶させておき、メタ画像蓄積エリア２５にはパス名のみを記憶させておくことも可能である。このようなデータ構造を採用した場合、パス名をキーとしてメタ画像を検索することが可能である。
【００６８】
図１４は、情報蓄積装置１０１のＨＤＤ２０８に記録されているコーディネート情報エリア２６の記録データを示す模式図である。コーディネート情報エリア２６は、店員による個々のコーディネートを特定するコーディネートＩＤに対応付けて、画像ＩＤ、商品ＩＤ（商品コード）、アイテム情報（テキストデータ）、店員ＩＤ（テキストコード）、店員情報（氏名及び所属店舗のテキストデータ）、コメント（テキストデータ）、及び利用範囲ＩＤを対応付けて記憶している。したがって、コーディネート情報エリア２６を参照することで、例えばコーディネートＩＤをキーとして対応する一連のデータを検索することができる。検索によって店員ＩＤが判明すれば、メタ画像蓄積エリア２５からバイナリデータを取得することができ、また、検索によって利用範囲ＩＤが判明すれば、利用範囲マスタエリア２４から利用範囲を取得することができる。
【００６９】
したがって、メタ画像蓄積エリア２５及びコーディネート情報エリア２６は、商品ＡＬである衣類をコーディネートして撮像されたコーディネート画像（バイナリデータ）とこのコーディネート画像中でコーディネートされている衣類の商品ＩＤ（商品コード）とを紐付けして記憶保存するコーディネートデータベースを構築している。
【００７０】
図１５は、情報蓄積装置１０１のＨＤＤ２０８に記録されている割引ルールエリア２７の記録データを示す模式図である。割引ルールエリア２７は、個々の割引ルールを特定するルールマスタＩＤに対応付けて、ルールマスタ名、判定基準及び割引内容を記憶保存している。
【００７１】
例えば、ルールマスタ名には、個々のルールマスタＩＤに対応させて、
ルールマスタＩＤ＝１：２アイテムシーズン割引
ルールマスタＩＤ＝２：２アイテム割引
ルールマスタＩＤ＝３：３アイテム割引
等のように、割引ルールを直感させ得る名称が付与されている。
【００７２】
判定基準には、そのような割引ルールの判定基準が設定されている。例えば、個々のルールマスタＩＤに対応する判定基準として、
ルールマスタＩＤ＝１：２アイテム以上、かつ、カテゴリ冬
ルールマスタＩＤ＝２：合計２アイテム以上、かつ、合計１０，０００円以上
ルールマスタＩＤ＝３：合計３アイテム以上、かつ、各商品ＡＬの原価３，０００円以上がそれぞれ設定されている。つまり、ルールマスタＩＤ「１」に対応させて設定されている判定基準は、合計２アイテム以上のお買上で、かつ、売り上げられた各商品ＡＬのカテゴリが冬である場合ということである。ルールマスタＩＤ「２」に対応させて設定されている判定基準は、合計２アイテム以上のお買上で、かつ、売上合計金額が１０，０００円以上の場合ということである。ルールマスタＩＤ「３」に対応させて設定されている判定基準は、合計３アイテム以上のお買上で、かつ、売り上げられた各商品ＡＬの原価が３，０００円以上である場合ということである。
【００７３】
割引内容には、判定基準に合致した場合の割引内容が設定されている。例えば、個々のルールマスタＩＤに対応する割引内容として、
ルールマスタＩＤ＝１：合計５０％引き
ルールマスタＩＤ＝２：合計１０％引き
ルールマスタＩＤ＝３：合計２０％引き
がそれぞれ設定されている。
【００７４】
ここで、ルールマスタＩＤ＝１の判定基準に設定されている「カテゴリ冬」は、商品マスタエリア２１中のカテゴリを参照することでその有無判定が可能である。また、ルールマスタＩＤ＝２の判定基準に設定されている「合計１０，０００円以上」は、商品マスタエリア２１中の価格を参照することでその有無判定が可能である。そして、ルールマスタＩＤ＝３の判定基準に設定されている「各商品ＡＬの原価３，０００円以上」は、商品マスタエリア２１中の原価を参照することでその有無判定が可能である。
【００７５】
したがって、割引ルールエリア２７は、例えば商品マスタエリア２１に記憶保存されている商品情報（カテゴリ、価格、原価）によって適合有無の判定が可能である一又は二以上の商品ＡＬが購入される場合の割引条件及びこれに対応する割引内容を定義する割引ルール情報を構築している。
【００７６】
２．割引ルール設定フェーズ
割引ルール設定フェーズは、本部Ｈで実行される。このフェーズは、本部Ｈに設けられている操作端末１２を用いて、ホストコンピュータ１１のＨＤＤ１５に設けられている割引ルールエリア２７（図１５参照）にデータを記憶保存させる。
【００７７】
本部Ｈに設置されている操作端末１２は、そのＨＤＤ（図示せず）にインストールするコンピュータプログラムによって、ホストコンピュータ１１が管理するＨＤＤ１５にデータ入力することができる。つまり、操作端末１２は、操作入力部１６及び表示部１７を用いて、ホストコンピュータ１１のＨＤＤ１５に設けられている商品マスタエリア２１、店員マスタエリア２２、顧客マスタエリア２３、利用範囲マスタエリア２４及び割引ルールエリア２７の記憶保存データを入力することができる。
【００７８】
図１６は、操作端末１２の表示部１７に表示される割引ルール設定画面ＳＲの一例を示す模式図である。操作端末１２は、そのＨＤＤ（図示せず）にインストールされているコンピュータプログラムに従ったＣＰＵ（図示せず）の処理プロセスにより、図１６に示すような割引ルール設定画面ＳＲを操作端末１２の表示部１７に表示させる。割引ルール設定画面ＳＲは、編集領域ＳＲ１を有しており、その他に、登録ボタンＳＲ２、編集ボタンＳＲ３、削除ボタンＳＲ４及び戻るボタンＳＲ５を有している。編集領域ＳＲ１には、表形式で編集画面ＳＲ１−１が表示される。編集画面ＳＲ１−１には、図１５に示す割引ルールエリア２７の各設定項目が表示される。このうち、ルールマスタＩＤの番号（１、２、３、…ｎ）については、編集画面ＳＲ１−１に予め出現している。その他の項目であるルールマスタ名、判定基準及び割引内容については、操作入力部１６によってデータ入力が可能となっている。
【００７９】
操作端末１２のＨＤＤ（図示せず）にインストールされているコンピュータプログラムに従い、操作端末１２のＣＰＵ（図示せず）は、表示部１７に割引ルール設定画面ＳＲを表示させる。そして、操作端末１２のＣＰＵ（図示せず）は、割引ルール設定画面ＳＲの中で、編集ボタンＳＲ３が操作入力部１６によって選択指定されると、編集領域ＳＲ１に表示した編集画面ＳＲ１−１中、ルールマスタ名、判定基準及び割引内容を操作入力部１６によって入力可能にする。入力済みのデータは、割引ルール設定画面ＳＲに表示されている登録ボタンＳＲ２が操作入力部１６によって選択指定されることで、ホストコンピュータ１１に送信されて図１５に示す割引ルールエリア２７に記憶保存される。これに対して、例えば、操作入力部１６によってルールマスタＩＤの番号（１、２、３、…ｎ）が選択指定された状態で割引ルール設定画面ＳＲに表示されている削除ボタンＳＲ４が操作入力部１６によって選択指定されると、その番号に対応付けられているルールマスタ名、判定基準及び割引内容を削除すべき指令がホストコンピュータ１１に送信され、図１５に示す割引ルールエリア２７から削除される。
【００８０】
３．割引ルール閲覧フェーズ
割引ルール閲覧フェーズは、情報蓄積装置１０１が設置されている個々の店舗Ｓで実行される。このフェーズでは、ホストコンピュータ１１のＨＤＤ１５に設けられている割引ルールエリア２７（図１５参照）に設定されている割引ルールデータを情報蓄積装置１０１に呼び出し、情報蓄積装置１０１で閲覧可能とする。以下、図１７及び図１８に基づいて、割引ルール閲覧フェーズについて説明する。
【００８１】
図１７は、情報蓄積装置１０１で実行される割引ルール閲覧処理の流れを示すフローチャートである。情報蓄積装置１０１のＨＤＤ２０８のプログラムエリアＰＡにインストールされているコンピュータプログラムには、割引ルールを閲覧するための割引ルール閲覧処理用のプログラムが含まれている。この割引ルール閲覧処理用のプログラムは、情報蓄積装置１０１の起動時にＲＡＭ２０５にコピーされて使用される。図１７に示すフローチャートの処理は、こうしてＲＡＭ２０５にコピーされた割引ルール閲覧処理用のプログラムに従いＣＰＵ２０２が実行する処理内容を示している。
【００８２】
情報蓄積装置１０１のＣＰＵ２０２は、まず、割引ルールデータの取得処理を実行する（ステップＳ１１）。この処理は、ネットワークカード２１０及び通信回線網５１を介してホストコンピュータ１１にアクセスし、ＨＤＤ１５に設けられている割引ルールエリア２７に記憶保存されている割引ルールデータの送信要求をホストコンピュータ１１に送信することによって開始する。そして、ホストコンピュータ１１から返信された割引ルールエリア２７に記憶保存されている割引ルールデータを受信することによって完結する。
【００８３】
次いで、情報蓄積装置１０１のＣＰＵ２０２は、ステップＳ１１で受信した割引ルールデータを液晶ディスプレイ１０３に表示出力し、割引ルール閲覧画面ＢＲを表示させる（ステップＳ１２）。
【００８４】
図１８は、情報蓄積装置１０１の液晶ディスプレイ１０３に表示される割引ルール閲覧画面ＢＲの一例を示す模式図である。割引ルール閲覧画面ＢＲには、割引ルール表示欄ＢＲ１、コーディネート登録ボタンＢＲ２及び戻るボタンＢＲ３が表示されている。割引ルール表示欄ＢＲ１には、表形式で割引ルール画面ＢＲ１−１が表示される。この割引ルール画面ＢＲ１−１には、ステップＳ１１で受信した割引ルールデータに基づく表示がなされる。
【００８５】
コーディネート登録ボタンＢＲ２は、後述するコーディネート情報登録フェーズへの移行を宣言するためのボタンである。そこで、情報蓄積装置１０１では、図１７のフローチャートに示すように、タッチパネル１０５によってコーディネート登録ボタンＢＲ２が選択指定されてコーディネート登録が指定されると（ステップＳ１３のＹ）、後述するコーディネート情報登録フェーズに移行して処理を終了する（ステップＳ１４）。
【００８６】
戻るボタンＢＲ３は、割引ルール閲覧画面ＢＲを前画面に戻すことを宣言するためのボタンである。そこで、情報蓄積装置１０１では、図１７のフローチャートに示すように、タッチパネル１０５によって戻るＢＲ３が選択指定されると（ステップＳ１５のＹ）、液晶ディスプレイ１０３に前画面表示を行なって処理を終了する（ステップＳ１６）。
【００８７】
ここで、割引ルール閲覧フェーズでは、情報蓄積装置１０１の液晶ディスプレイ１０３に割引ルール閲覧画面ＢＲを表示させることができる。これにより、情報蓄積装置１０１を操作する店員は、割引ルールの内容を確認することができる。この場合、割引ルールは、一又は二以上の商品ＡＬが購入される場合の割引条件及びこれに対応する割引内容を定義している。つまり、割引ルールは、個々の商品ＡＬ（アイテム）の単位で規定されているわけではなく、割引条件として規定されている。このため、店員は、コーディネート販売において値引きによる販売促進を図ろうとする場合、割引ルール閲覧画面ＢＲの閲覧によって知った割引ルールを考慮して割引条件を満たすコーディネートを行なうことが比較的に容易となる。その結果、専ら美的側面から決定すべき自由なコーディネートを犠牲にすることなく、値引きという営業的側面を加味した販売促進を図り得るコーディネート販売の実現を支援することができる。
【００８８】
４．コーディネート情報登録フェーズ
コーディネート情報登録フェーズは、情報蓄積装置１０１が設置されている個々の店舗Ｓで実行される。このフェーズは、店員がその店舗Ｓで販売している衣類をコーディネートしたコーディネート画像をその他の情報と共に登録するフェーズである。以下、図１９ないし図２５に基づいて、コーディネート情報登録フェーズについて説明する。
【００８９】
図１９は、情報蓄積装置１０１で実行されるコーディネート情報登録処理の流れを示すフローチャートである。情報蓄積装置１０１のＨＤＤ２０８のプログラムエリアＰＡにインストールされているコンピュータプログラムには、カメラ１０７や外部カメラ（図示せず）によって撮像された画像データを、本部Ｈに設置されているホストコンピュータ１１のＨＤＤ１５に設けられているメタ画像蓄積エリア２５及びコーディネート情報エリア２６に蓄積登録するためのコーディネート情報登録処理用のプログラムが含まれている。このコーディネート情報登録処理用のプログラムは、その起動時にＲＡＭ２０５にコピーされて使用される。図１９に示すフローチャートの処理は、こうしてＲＡＭ２０５にコピーされたコーディネート情報登録処理用のプログラムに従いＣＰＵ２０２が実行する処理内容を示している。
【００９０】
情報蓄積装置１０１のＣＰＵ２０２は、まず、撮像画像の利用範囲を設定する処理を実行する（ステップＳ１０１）。つまり、ＣＰＵ２０２は、ビデオコントローラ２０７に対して、利用範囲選択画面Ａを液晶ディスプレイ１０３に表示させるための信号を出力し、タッチパネル１０５からの情報入力に待機する。
【００９１】
図２０は、情報蓄積装置１０１の液晶ディスプレイ１０３に表示される利用範囲選択画面Ａの一例を示す模式図である。利用範囲選択画面Ａには、利用範囲選択エリアＡ１と、選択済み利用範囲表示エリアＡ２と、利用範囲解説エリアＡ３と、登録ボタンＡ４と、キャンセルボタンＡ５とが表示される。利用範囲選択エリアＡ１は、プルダウン指示オブジェクトＡ１−１のタッチ指定によって選択可能な利用範囲ＩＤ一覧Ａ１−２をプルダウン表示する。そこで、プルダウン表示された利用範囲ＩＤ一覧Ａ１−２から所望の利用範囲ＩＤを選択することで、利用範囲の選択がなされる。この際、利用範囲解説エリアＡ３には、利用範囲ＩＤ一覧Ａ１−２から選択可能な利用範囲の解説がなされているので、利用範囲選択の際の参考となる。選択された利用範囲は、選択済み利用範囲表示エリアＡ２に表示される。この状態で登録ボタンＡ４がタッチ指定されると、撮像画像の利用範囲の設定がなされる。つまり、選択された利用範囲を特定する利用範囲ＩＤがＲＡＭ２０５に一時記憶され、図１９のフローチャート中のステップＳ１０１の処理が完了する。これに対して、キャンセルボタンＡ５がタッチ指定されると、キャンセル処理がなされ、コーディネート情報登録処理が終了する。
【００９２】
図１９に示すフローチャートの説明に戻る。ステップＳ１０１に示す撮像画像の利用範囲の設定が完了すると、コーディネート編集画面Ｂ（図２１〜図２４参照）の表示処理が実行される（ステップＳ１０２）。つまり、ＣＰＵ２０２は、ビデオコントローラ２０７に対して、コーディネート編集画面Ｂを液晶ディスプレイ１０３に表示させるための信号を出力する。
【００９３】
図２１は、情報蓄積装置１０１の液晶ディスプレイ１０３に表示されるコーディネート編集画面Ｂの一例を示す模式図である。コーディネート編集画面Ｂには、画像表示エリアＢ１と、店員名表示エリアＢ２と、店舗名表示エリアＢ３と、商品名表示エリアＢ４と、コメント入力欄Ｂ５と、画像選択ボタンＢ６と、読取開始ボタンＢ７と、読取停止ボタンＢ８と、保存ボタンＢ９と、クリアボタンＢ１０と、戻るボタンＢ１１とが表示されている。
【００９４】
画像表示エリアＢ１は、情報蓄積装置１０１において、カメラ１０７又は外部カメラ（図示せず）が出力してマイクロコンピュータ２０１が取り込んだ撮像画像の画像データに基づくコーディネート画像を表示するために確保されている領域である。カメラ１０７又は外部カメラ（図示せず）による撮影は、読取開始ボタンＢ７及び読取停止ボタンＢ８のタッチ指定によって実行される。つまり、読取開始ボタンＢ７がタッチ指定されると、カメラ１０７又は外部カメラ（図示せず）による撮影がなされ、その撮像画像が画像表示エリアＢ１に動画で表示される。撮影者であり被写体である店員は、撮影のタイミングで読取停止ボタンＢ８をタッチ指定する。これにより、その瞬間の画像データが取り込まれ、画像表示エリアＢ１に静止画像であるコーディネート画像として表示される。また、画像表示エリアＢ１には、カメラ１０７又は外部カメラ（図示せず）が出力してマイクロコンピュータ２０１が取り込んだ撮像画像の画像データに基づくコーディネート画像のみならず、画像選択ボタンＢ６がタッチ指定されることで指定可能な予め撮像されてホストコンピュータ１１のＨＤＤ１５等に記録保存されている画像データに基づくコーディネート画像をも表示させることができる。なお、コーディネート画像となるべき画像データが取り込まれていない状態では、画像表示エリアＢ１にはコーディネート画像が表示されず、「撮影待機中」という状態表示のみが表示されている（図２１参照）。
【００９５】
店員名表示エリアＢ２は、店員の氏名を表示するために確保されている領域である。この場合の氏名のデータは、店員が所持するＩＤカードからＲＦＩＤリーダライタ１１１が読み取って出力した店員コードをマイクロコンピュータ２０１が取り込み、取り込んだ店員コードである店員ＩＤをキーとして、ホストコンピュータ１１のＨＤＤ１５に設けられている店員マスタエリア２２（図１０参照）から検索して得た店員の氏名である。この際、店員マスタエリア２２からはその店員の所属店舗も取得可能なので、取得した所属店舗は店舗名表示エリアＢ３に表示される。店員コードが読み取られていない状態では、店員名表示エリアＢ２及び店舗名表示エリアＢ３には店員の氏名及び店舗名が表示されず、ブランク表示状態となっている。
【００９６】
商品名表示エリアＢ４は、店員が選択した商品名を表示するために確保されている領域である。この場合の商品名のデータは、商品ＡＬに付されている商品タグに内蔵されているＲＦＩＤチップから読み取った商品コードに基づいて検索される。つまり、ＲＦＩＤリーダライタ１１１はＲＦＩＤチップが記憶している商品コードを読み取り、これをマイクロコンピュータ２０１が取り込む。情報蓄積装置１０１のＣＰＵ２０２は、取り込んだ商品コードである商品ＩＤをキーとして、ホストコンピュータ１１のＨＤＤ１５に設けられている商品マスタエリア２１（図９参照）を検索し、商品名のデータを得る。商品コードが読み取られていない状態では、商品名表示エリアＢ４には商品名が表示されず、ブランク表示状態となっている。
【００９７】
コメント入力欄Ｂ５には、コメントを書き込むことができる。コメントは、一例として、コメント入力欄Ｂ５のタッチ指定によって情報蓄積装置１０１の液晶ディスプレイ１０３にキーボードを表示させ、表示されたキーボードによって入力可能である。
【００９８】
画像選択ボタンＢ６、読取開始ボタンＢ７及び読取停止ボタンＢ８は、前述した役割を担うオブジェクトである。保存ボタンＢ９、クリアボタンＢ１０及び戻るボタンＢ１１は、それぞれ、保存、クリア及び処理の戻りをタッチ指定するためのオブジェクトである。
【００９９】
図１９に示すフローチャートの説明に戻る。ステップＳ１０２に示すコーディネート編集画面Ｂの表示処理が実行された後は、カメラ撮影又は画像選択に待機している（ステップＳ１０３）。つまり、情報蓄積装置１０１のＣＰＵ２０２は、カメラ１０７又は外部カメラ（図示せず）から出力される撮像画像の画像データに基づくコーディネート画像の受信又は画像選択ボタンＢ６のタッチ指定に基づく既存の画像データに基づくコーディネート画像の選択に待機している。そして、ＣＰＵ２０２は、コーディネート画像となるべき画像データを取得すると、取得した画像データについて画像ＩＤを決定し、これをＲＡＭ２０５に一時記憶する。そして、その画像データに基づくコーディネート画像を表示させるようにビデオコントローラ２０７を駆動制御する（ステップＳ１０４）。これにより、ビデオコントローラ２０７は、画像データをＲＡＭ２０５中の画像メモリに展開する。そして、ＣＰＵ２０２は、画像メモリに展開された画像データをコーディネート編集画面Ｂの画像表示エリアＢ１にコーディネート画像として表示するようにビデオコントローラ２０７を駆動制御する（ステップＳ１０５）。その結果、画像データに基づくコーディネート画像がコーディネート編集画面Ｂの画像表示エリアＢ１に表示される。
【０１００】
図２２は、情報蓄積装置１０１の液晶ディスプレイ１０３に表示されるコーディネート画像表示後のコーディネート編集画面Ｂの一例を示す模式図である。
【０１０１】
図１９に示すフローチャートの説明に戻る。情報蓄積装置１０１のＣＰＵ２０２は、コーディネート編集画面Ｂの表示処理（ステップＳ１０５）の後、ＲＦＩＤリーダライタ１１１を起動させ、そのＲＦＩＤアンテナ（図示せず）に出力を供給させる（ステップＳ１０６）。これにより、ＣＰＵ２０２は、タッチパネル１０５からの操作入力のみならず、ＲＦＩＤリーダライタ１１１からの読み取り入力によって入力されたデータも取り込み可能な状態となる。そこで、ＣＰＵ２０２は、続く処理として、イベント入力の有無及びイベント種別の判定処理に待機する（ステップＳ１０７）。
【０１０２】
情報蓄積装置１０１のＣＰＵ２０２は、ステップＳ１０７に示すイベント入力の有無及びイベント種別の判定処理中、ＲＦＩＤリーダライタ１１１から出力があると（ＲＦＩＤ読み取り）、その種類を判定する（ステップＳ１０８）。つまり、前述したように、被写体となる店員は、自己を特定する店員コードを記憶するＲＦＩＤチップを内蔵するＩＤカード（図示せず）を所持しており、また、商品ＡＬにはその商品ＡＬを特定する商品コードを記憶するＲＦＩＤチップを内蔵する無線タグＲＴが付されている。そこで、ＲＦＩＤリーダライタ１１１は、被写体となる店員が所持するＩＤカードからその店員を特定する店員コードを受信し、商品ＡＬに付された商品タグからはその商品ＡＬを特定する商品コードを受信し、これらの受信した識別コード及び商品コードを出力する。
【０１０３】
情報蓄積装置１０１のマイクロコンピュータ２０１は、ＲＦＩＤリーダライタ１１１が出力した店員コード及び商品コードをシリアルポート２０９からＩ／ＯインターフェースＩＦを介して取り込み、ステップＳ１０７においてＲＦＩＤ読み取りを判定する。そして、被写体となる店員が所持するＩＤカードに記憶されている店員コード（店員ＩＤ）には店員コードであることを示すデータが含まれ、商品ＡＬに付された商品タグに記憶されている商品コード（商品ＩＤ）には商品コードであることを示すデータが含まれているので、ステップＳ１０８での種類判定が可能となる。
【０１０４】
情報蓄積装置１０１のＣＰＵ２０２は、ステップＳ１０８の種類判定処理で店員ＩＤを判定すると（ステップＳ１０８の店員ＩＤ）、ステップＳ１０９の処理を実行する。つまり、取り込んだ店員ＩＤをＲＡＭ２０５のワークエリアに一時記憶する。そして、取り込んだ店員ＩＤをキーとして店員マスタエリア２２（図１０参照）から店員の氏名と所属店舗とを検索して取得し、この取得した被写体の氏名を店員名表示エリアＢ２に表示し、所属店舗を店舗名表示エリアＢ３に表示する（図２３参照）。その後、ＣＰＵ２０２は、ステップＳ１０６の処理にリターンする。
【０１０５】
図２３は、情報蓄積装置１０１の液晶ディスプレイ１０３に表示されるコーディネート画像表示後であって店員コード入力後のコーディネート編集画面Ｂの一例を示す模式図である。
【０１０６】
図１９に示すフローチャートの説明に戻る。ＣＰＵ２０２は、ステップＳ１０８の種類判定処理で商品ＩＤを判定すると（ステップＳ１０８の商品ＩＤ）、ステップＳ１１０の処理を実行する。つまり、取り込んだ商品ＩＤをＲＡＭ２０５のワークエリアに一時記憶する。そして、取り込んだ商品ＩＤをキーとして、ホストコンピュータ１１のＨＤＤ１５に設けられている商品マスタエリア２１（図９参照）から商品名称を検索して取得し、この取得した商品ＡＬの名称を商品名表示エリアＢ４に表示する（図２４参照）。その後、ＣＰＵ２０２は、ステップＳ１０６の処理にリターンする。
【０１０７】
図２４は、情報蓄積装置１０１の液晶ディスプレイ１０３に表示されるコーディネート画像表示後であって店員コード及び商品コード入力後のコーディネート編集画面Ｂの一例を示す模式図である。
【０１０８】
図１９に示すフローチャートの説明に戻る。情報蓄積装置１０１のＣＰＵ２０２は、ステップＳ１０８の種類判定処理で店員ＩＤ及び商品ＩＤ以外の読み取り対象を判定した場合には（ステップＳ１０８のその他）、そのままステップＳ１０６の処理にリターンする。
【０１０９】
以上、ステップＳ１０７に示すイベント入力の有無及びイベント種別の判定処理において、情報蓄積装置１０１のＣＰＵ２０２がＲＦＩＤ読み取りを判定した場合（ステップＳ１０７のＲＦＩＤ読み取り）の処理（ステップＳ１０８〜１１０）について説明した。これに対して、ＣＰＵ２０２は、ステップＳ１０７に示すイベント入力の有無及びイベント種別の判定処理において、タッチパネル１０５による保存ボタンＢ９のタッチ指定を判定した場合には（ステップＳ１０７の保存ボタン）、画像データを含むコーディネート情報の登録処理を実行する。次に、コーディネート情報の登録処理について説明する。
【０１１０】
まず、情報蓄積装置１０１のＣＰＵ２０２は、被写体である店員がコーディネート編集画面Ｂの画像表示エリアＢ１に表示されている画像についてその利用を許諾済みであるかどうかを判定する（ステップＳ１１１）。被写体である店員が画像表示エリアＢ１に表示されている画像の利用を許諾済みであるか否かは、ＲＡＭ２０５に一時記憶されているステータスを参照することによってなされる。つまり、店員が所持するＩＤカードから店員コードが読み取られると（ステップＳ１０７〜１０８参照）、読み取られた店員コードは店員ＩＤとしてＲＡＭ２０５のワークエリアに一時記憶される（ステップＳ１０９）。この際、ＣＰＵ２０２は、一時記憶した店員ＩＤについて、被写体である店員が画像表示エリアＢ１に表示されている画像の利用を許諾済みであるか否かのステータスを設定し、その許諾の有無を管理できるようにしている。この場合の許諾は、後述するステップＳ１１２で液晶ディスプレイ１０３に表示される利用許諾画面Ｃの許諾ボタンＣ２（図２５参照）のタッチ指定によってなされる。そこで、情報蓄積装置１０１のＣＰＵ２０２は、ステップＳ１１１の判定処理において、ＲＡＭ２０５のワークエリアに一時記憶されている店員ＩＤに設定されている画像利用の許諾ステータス（図１０参照）を参照し、被写体である店員が画像表示エリアＢ１に表示される画像の利用を許諾済みであるか否かを判定する。
【０１１１】
次いで、情報蓄積装置１０１のＣＰＵ２０２は、被写体である店員が画像表示エリアＢ１に表示される画像の利用を許諾済みではないと判定した場合（ステップＳ１１１のＮ）、利用許諾画面Ｃ（図２５参照）をコーディネート編集画面Ｂにポップアップ表示する（ステップＳ１１２）。
【０１１２】
図２５は、情報蓄積装置１０１の液晶ディスプレイ１０３に表示される利用許諾画面Ｃの一例を示す模式図である。利用許諾画面Ｃには、許諾内容を示す許諾事項表示エリアＣ１と、許諾ボタンＣ２と、許諾拒否ボタンＣ３とが表示されている。許諾事項表示エリアＣ１には、「当システムによって撮影した画像・登録情報を使用する権利を許諾します。」というような許諾内容が示されている。そして、許諾ボタンＣ２は許諾の意思表示を示すためにタッチ指定されるオブジェクトであり、許諾拒否ボタンＣ３は許諾拒否の意思表示を示すためにタッチ指定されるオブジェクトである。
【０１１３】
情報蓄積装置１０１のＣＰＵ２０２は、ステップＳ１１２に示す利用許諾画面Ｃのポップアップ表示処理後、利用許諾画面Ｃに含まれている許諾ボタンＣ２がタッチ指定されることによって生ずる「許諾」というイベントの発生を判定すると（ステップＳ１１３のＹ）、許諾された撮像画像の登録を実行する（ステップＳ１１４）。つまり、ステップＳ１０３で取り込んでＲＡＭ２０５に一時記憶したカメラ１０７等の撮像画像の画像データそのものであるバイナリデータを、ステップＳ１０４でＲＡＭ２０５に一時記憶した画像ＩＤと共にホストコンピュータ１１に送信する。この際、情報蓄積装置１０１からホストコンピュータ１１に送信されるデータには、バイナリデータ及び画像ＩＤのデータを、ホストコンピュータ１１のＨＤＤ１５に設けられている図１３に示すメタ画像蓄積エリア２５に保存登録すべき信号を伴わせる。あるいは、画像選択ボタンＢ６のタッチ指定によって選択された既存の画像データそのものであるバイナリデータを、ステップＳ１０４でＲＡＭ２０５に一時記憶した画像ＩＤと共に図１３に示すメタ画像蓄積エリア２５に保存登録するよう、ホストコンピュータ１１にその旨の司令を送信する。この際、カメラ１０７等の撮像画像の画像データや既存の画像データに伴われているパス名も画像ＩＤ及びバイナリデータに対応付けて、ホストコンピュータ１１のＨＤＤ１５に設けられているメタ画像蓄積エリア２５に保存登録するよう、ホストコンピュータ１１にその旨の司令を送信する。そして、ホストコンピュータ１１のＨＤＤ１５に設けられている図１４に示すコーディネート情報エリア２６のコーディネートＩＤに新規のＩＤコードを設定し、これに対応付けてその画像ＩＤと、ステップＳ１１０でＲＡＭ２０５に一時記憶した商品ＩＤと、ステップＳ１０９でＲＡＭ２０５に一時記憶した店員ＩＤと、ステップＳ１０１で設定した利用範囲とを保存登録するよう、ホストコンピュータ１１にその旨の司令を送信する。この際、コーディネート情報エリア２６には、商品ＩＤから検索される商品名からなるアイテム情報と、店員ＩＤから検索される店員名及び店舗名からなる店員情報とを保存登録するよう、ホストコンピュータ１１にその旨の司令を送信する。
【０１１４】
一方、情報蓄積装置１０１のＣＰＵ２０２は、ステップＳ１１２に示す利用許諾画面Ｃのポップアップ表示処理後、利用許諾画面Ｃに含まれている許諾拒否ボタンＣ３がタッチ指定されることによって生ずる「許諾拒否」というイベントの発生を判定すると（ステップＳ１１３のＮ）、ＲＡＭ２０５に一時記憶しているコーディネート編集画面Ｂのデータをクリアし（ステップＳ１１７）、ステップＳ１０２のコーディネート編集画面Ｂの表示処理にリターンする。
【０１１５】
このようなステップＳ１０２のコーディネート編集画面Ｂの表示処理へのリターンは、前述したステップＳ１０７でのイベント入力の有無及びイベント種別の判定処理において、ＲＦＩＤ読み取り及び保存ボタンＢ９のタッチ指定以外のその他のイベント発生が判定され（ステップＳ１０７のその他）、それがクリアボタンＢ１０のタッチ指定と判定された場合にも実行される（ステップＳ１１５のＹ）。
【０１１６】
更に、前述したステップＳ１０７でのイベント入力の有無及びイベント種別の判定処理において、ＲＦＩＤ読み取り及び保存ボタンＢ９のタッチ指定以外のその他のイベント発生が判定され（ステップＳ１０７のその他）、それがクリアボタンＢ１０のタッチ指定ではないと判定された場合（ステップＳ１１５のＮ）、発生イベントに対応する処理がなされる（ステップＳ１１６）。
【０１１７】
ここで、情報蓄積装置１０１のＣＰＵ２０２は、ステップＳ１１１において、被写体が画像表示エリアＢ１に表示されている画像の利用を許諾済みであると判定した場合（ステップＳ１１１のＹ）、利用許諾画面Ｃによる利用許諾の意思表示確認処理（ステップＳ１１２〜１１３）を経ることなく、直ちにステップＳ１１４の撮像画像の登録処理を実行する（ステップＳ１１４）。これは、被写体である店員から撮像画像の利用許諾を一度取得したならば、その後は逐次の利用許諾の取得を省略してもよいであろうという主旨の下に実行される処理である。このような利用許諾の省略処理を実行することで、円滑なコーディネート情報登録処理の遂行が図られる。
【０１１８】
また、本実施の形態では、画像表示エリアＢ１に表示されている画像について、被写体にその利用の許諾の意思表示をしてもらうための仕組みとして、利用許諾画面Ｃ上での許諾ボタンＣ２のタッチ指定という仕組みを採用している。これに対して、別の実施の形態として、シリアルポート２０９に手書きタブレット（図示せず）を接続しておき、手書きタブレットへの手書き入力画像の取り込みをもって利用許諾又はその拒否を実行するようにしてもよい。この場合、店員マスタエリア２２に被写体となる店員の筆跡データを格納しておき、手書きタブレットに筆記された筆跡が本人の筆跡であるかどうかを判定することも可能である。更に別の実施の形態として、シリアルポート２０９に生体情報取得用のセンサ（図示せず）を接続しておき、かつ、店員マスタエリア２２に当該センサによって取得可能な被写体となる店員の生体認証データを登録しておき、生体情報取得用のセンサによって入力された生体情報と店員マスタエリア２２に登録されている生体情報との一致をもって利用許諾又はその拒否を実行するようにしてもよい。
【０１１９】
５．コーディネート情報閲覧フェーズ
コーディネート情報閲覧フェーズは、情報表示装置１２１が設置されている個々の店舗Ｓで実行される。このフェーズは、主に顧客が、来店した店舗Ｓにおいて、その店舗Ｓで販売している衣類をコーディネートしたコーディネート画像をその他の情報と共に情報表示装置１２１で閲覧するフェーズである。以下、図２６ないし図３０に基づいて、コーディネート情報閲覧フェーズについて説明する。
【０１２０】
図２６は、情報表示装置１２１で実行されるコーディネート情報閲覧処理の流れを示すフローチャートである。ＨＤＤ２２８のプログラムエリアＰＡにインストールされているコンピュータプログラムには、ホストコンピュータ１１のＨＤＤ１５に設けられているメタ画像蓄積エリア２５（図１３参照）及びコーディネート情報エリア２６（図１４参照）に蓄積登録されているコーディネート情報を閲覧するためのコーディネート情報閲覧処理用のプログラムが含まれている。このコーディネート情報閲覧処理用のプログラムは、その起動時にＲＡＭ２２５にコピーされて使用される。図２６に示すフローチャートの処理は、こうしてＲＡＭ２２５にコピーされたコーディネート情報登録処理用のプログラムに従いＣＰＵ２２２が実行する処理内容を示している。
【０１２１】
店舗Ｓを訪れた顧客がコーディネート画像の閲覧を希望する場合、情報表示装置１２１でのログインが必要となる。情報表示装置１２１でログインをするには、顧客が所持する会員カード（図示せず）に内蔵されているＲＦＩＤチップに記憶されている顧客コードをＲＦＩＤリーダライタ１３１によって読み取らせる。情報表示装置１２１のマイクロコンピュータ２２１は、ＲＦＩＤリーダライタ１３１が出力した顧客コードをシリアルポート２２９からＩ／ＯインターフェースＩＦを介して取り込み、ホストコンピュータ１１のＨＤＤ１５に記憶保存されている顧客マスタエリア２３（図１１参照）を検索して取り込んだ顧客コードと同一の顧客ＩＤの有無を判定する。情報表示装置１２１のマイクロコンピュータ２２１は、会員カードから読み取った顧客コードと同一の顧客ＩＤが顧客マスタエリア２３に存在することを条件に、ログインを許可する。以上がログイン処理である（ステップＳ２０１）。
【０１２２】
もっとも、コーディネート画像の閲覧を希望する場合に情報表示装置１２１でのログインを必要とするのは、顧客ばかりでなく、店員も同様である。つまり、店員が情報表示装置１２１でログインをするには、店員が所持するＩＤカード（図示せず）に内蔵されているＲＦＩＤチップに記憶されている店員コードをＲＦＩＤリーダライタ１３１によって読み取らせる。情報表示装置１２１のマイクロコンピュータ２２１は、ＲＦＩＤリーダライタ１３１が出力した店員コードをシリアルポート２２９からＩ／ＯインターフェースＩＦを介して取り込み、ホストコンピュータ１１のＨＤＤ１５に記憶保存されている店員マスタエリア２２（図１０参照）を検索して取り込んだ店員コードと同一の店員ＩＤの有無を判定する。情報表示装置１２１のマイクロコンピュータ２２１は、店員が所持するＩＤカードから読み取った店員コードと同一の店員ＩＤが店員マスタエリア２２に存在することを条件に、ログインを許可する。以上が店員によるログイン処理である（ステップＳ２０１）。
【０１２３】
情報表示装置１２１のマイクロコンピュータ２２１は、ステップＳ２０１でログイン処理を実行した後、コーディネート一覧画面Ｄを液晶ディスプレイ１２２に表示出力する（ステップＳ２０２）。
【０１２４】
図２７は、情報表示装置１２１の液晶ディスプレイ１２２に表示されるコーディネート一覧画面Ｄの一例を示す模式図である。コーディネート一覧画面Ｄは、１０個のコーディネート写真が一覧表示される一覧表示欄Ｄ１を主体に構成されている。一覧表示欄Ｄ１に表示される１０個のコーディネート写真は、スクロール表示が可能である。コーディネート一覧画面Ｄ中の右下側に位置する三角印は、コーディネート写真のスクロールを指定するスクロールボタンＤ２である。図２７は、上位１０個のコーディネート写真が表示されている状態を示しているので、スクロールボタンＤ２は「送り側」の一つしか示されていないが、先頭のコーディネート写真がスクロールされて非表示になると、「戻し側」のスクロールボタン（図示せず）も表示されることになる。
【０１２５】
ここで、コーディネート一覧画面Ｄの一覧表示欄Ｄ１に表示されるコーディネート写真は、図１４に示すコーディネート情報エリア２６の利用範囲に記録されている定義に従って表示される。例えば、コーディネート情報エリア２６中のコーディネートＩＤによって特定されるコーディネートの利用範囲ＩＤがＢ又はＣとして定義されている場合には、その利用範囲は自他いずれの店舗Ｓでも良いとの定義なので（図１２参照）、一覧表示欄Ｄ１には、自他いずれの店舗Ｓにおいてもコーディネート写真が表示されることになる。これに対して、コーディネートＩＤによって特定されるコーディネートの利用範囲ＩＤがＡとして定義されている場合には、その利用範囲は自店舗内での利用との定義なので（図１２参照）、一覧表示欄Ｄ１には、コーディネートＩＤに紐付けされている店員の自店舗Ｓでのみコーディネート写真が表示されることになる。
【０１２６】
コーディネート一覧画面Ｄには、「商品タグで検索」と表示されている商品タグ選択ボタンＤ３及び「カテゴリで検索」と表示されているカテゴリ選択ボタンＤ４が表示されている。また、コーディネート一覧画面Ｄには、更に、戻るボタンＤ５及びログアウトボタンＤ６も表示されている。
【０１２７】
ここで、コーディネート一覧画面Ｄは、特定のコーディネート画像を表示するコーディネート画面Ｇ（図３０参照）を検索するためのフロント画面としての機能を果たしている。コーディネート一覧画面Ｄから所望のコーディネート画像を検索するために、情報表示装置１２１は、三通りの検索の仕方を提供する。以下、三通りの検索の仕方を図２６のフローチャートに戻り説明する。
【０１２８】
一つ目の検索の仕方は、一覧表示欄Ｄ１に表示されているコーディネート写真のタッチ指定による選択である。情報表示装置１２１のＣＰＵ２２２は、ステップＳ２０２に続く処理として、画像選択の有無の判定に待機している（ステップＳ２０３）。この場合の画像選択は、一覧表示欄Ｄ１に一覧表示されているコーディネート写真のタッチパネル１２５によるタッチ指定によってなされる。
【０１２９】
二つ目の検索の仕方は、商品タグ選択ボタンＤ３をタッチ指定することで開始される無線タグＲＴに基づく検索である。情報表示装置１２１のＣＰＵ２２２は、画像選択がなされることなく（ステップＳ２０３のＮ）、商品タグ選択ボタンＤ３がタッチ指定されると（ステップＳ２０４のＹ）、タグ情報待機画面Ｅを液晶ディスプレイ１２２に表示する（ステップＳ２０７）。
【０１３０】
図２８は、情報表示装置１２１の液晶ディスプレイ１２２に表示されるタグ情報待機画面Ｅの一例を示す模式図である。タグ情報待機画面Ｅには、「商品タグをかざしてね！」というメッセージＥ１が表示され、商品名を表示するための商品名表示欄Ｅ２が表示されている。そして、タグ情報待機画面Ｅには、図２７に示すコーディネート一覧画面Ｄの表示を指示するための「すべて表示」と表示されている全表示ボタンＥ３と、後述する三つ目の検索の仕方であるカテゴリ検索を指示するための「カテゴリで検索」と表示されているカテゴリ選択ボタンＥ４とが表示されている。タグ情報待機画面Ｅには、更に、戻るボタンＥ５とログアウトボタンＥ６とが表示されている。
【０１３１】
図２６に示すフローチャートの説明に戻る。情報表示装置１２１のＣＰＵ２２２は、タグ情報待機画面Ｅの表示処理（ステップＳ２０７）の後、タグ情報の受信判定に待機する（ステップＳ２０８）。つまり、商品ＡＬである衣類には、その商品ＡＬを特定する商品コードを記憶するＲＦＩＤチップを内蔵する商品タグが付されている。そこで、ＲＦＩＤリーダライタ１３１が商品タグから商品コードを読み取って出力すると、ＣＰＵ２２２は、タグ情報の受信を判定する（ステップＳ２０８のＹ）。続いて、情報表示装置１２１のＣＰＵ２２２は、ホストコンピュータ１１にアクセスし、受信した商品コードと同一の商品ＩＤを図１４に示すコーディネート情報エリア２６から検索し（ステップＳ２０９）、商品別コーディネート一覧画面Ｆ（図２９参照）を液晶ディスプレイ１２２に表示出力する（ステップＳ２１０）。つまり、ステップＳ２０９でコーディネート情報エリア２６から検索された商品ＩＤが記録されている全てのコーディネートＩＤを図１４に示すコーディネート情報エリア２６から検索取得し、これらのコーディネートＩＤによって特定される商品別コーディネート一覧画面Ｆ（図２９参照）を表示する。
【０１３２】
図２９は、情報表示装置１２１の液晶ディスプレイ１２２に表示される商品別コーディネート一覧画面Ｆの一例を示す模式図である。商品別コーディネート一覧画面Ｆは、タグ情報待機画面Ｅを基礎として、商品名表示欄Ｅ２にステップＳ２０８で受信判定した商品コードに基づいて図９に示す商品マスタエリア２１から検索される商品名称が表示されている。図２９に示す一例では、商品名表示欄Ｅ２に表示されている商品名から、「ブラックジーンズ」という商品ＡＬが選択されていることが分かる。また、タグ情報待機画面ＥのメッセージＥ１に換えて商品別コーディネート一覧画像Ｆ１が表示されている。更に、「商品タグで検索」と表示されている商品タグ選択ボタンＦ２が表示されている。その他の部分は、タグ情報待機画面Ｅの表示と同一なので、図２９の商品別コーディネート一覧画面Ｆ中、タグ情報待機画面Ｅと同一部分は同一の表示符号をそのまま用い、説明も省略する。
【０１３３】
ここで、商品別コーディネート一覧画面Ｆの商品別コーディネート一覧画像Ｆ１として表示されるコーディネート写真は、図１４に示すコーディネート情報エリア２６の利用範囲に記録されている定義に従って表示される。例えば、コーディネート情報エリア２６中のコーディネートＩＤによって特定されるコーディネートの利用範囲ＩＤがＢ又はＣとして定義されている場合には、その利用範囲は自他いずれの店舗Ｓでも良いとの定義なので（図１２参照）、自他いずれの店舗Ｓにおいても商品別コーディネート一覧画像Ｆ１としてコーディネート写真が表示されることになる。これに対して、コーディネートＩＤによって特定されるコーディネートの利用範囲ＩＤがＡとして定義されている場合には、その利用範囲は自店舗内での利用との定義なので（図１２参照）、コーディネートＩＤに紐付けされている店員の自店舗Ｓでのみ商品別コーディネート一覧画像Ｆ１としてコーディネート写真が表示されることになる。
【０１３４】
図２６に示すフローチャートの説明に戻る。情報表示装置１２１のＣＰＵ２２２は、商品別コーディネート一覧画面Ｆの表示処理（ステップＳ２１０）の後、コーディネート選択の有無判定（ステップＳ２１１）に待機する。コーディネート選択は、商品別コーディネート一覧画面Ｆに表示されているコーディネート写真のタッチパネル１２５によるタッチ指定によってなされる。
【０１３５】
三つ目の検索の仕方は、カテゴリ選択ボタンＤ４をタッチ指定することで開始される商品ＡＬである衣類のカテゴリに基づく検索である。情報表示装置１２１のＣＰＵ２２２は、画像選択を判定せず（ステップＳ２０３のＮ）、かつ、商品タグ検索の指定を判定しない間に（ステップＳ２０４のＮ）、カテゴリ検索の指定を判定すると（ステップＳ２０５のＹ）、カテゴリ選択処理を実行する（ステップＳ２１２）。カテゴリ選択処理は、コーディネート一覧画面Ｄ中のカテゴリ選択ボタンＤ４、又は、タグ情報待機画面Ｅ若しくは商品別コーディネート一覧画面Ｆ中のカテゴリ選択ボタンＥ４のタッチ指定によって開始される。この処理は、情報表示装置１２１のＣＰＵ２２２がホストコンピュータ１１にアクセスし、図９に示す商品マスタエリア２１で定義されているカテゴリに従い、カテゴリ別にコーディネート一覧画像（図示せず）を表示し、このコーディネート一覧画像中のコーディネート写真から、例えばタッチパネル１２５によるタッチ指定によって特定のコーディネート画像を選択する処理である。カテゴリ選択処理については、その詳細説明を省略する。
【０１３６】
ここで、一つ目の検索の仕方では、図２７に示すコーディネート一覧画面Ｄにおいて、一覧表示欄Ｄ１に表示されているコーディネート写真のタッチ指定によって、特定のコーディネートの選択がなされる。この場合、図２７に示す一覧表示欄Ｄ１に一覧表示されているコーディネート写真は、ホストコンピュータ１１のＨＤＤ１５に設けられている図１３に示すメタ画像蓄積エリア２５のバイナリデータに基づく。そこで、情報表示装置１２１のＣＰＵ２２２は、ホストコンピュータ１１にアクセスしてメタ画像蓄積エリア２５（図１３参照）を参照することで、そのバイナリデータと対応付けられている画像ＩＤを取得することができる。画像ＩＤが分かれば、ホストコンピュータ１１のＨＤＤ１５に設けられているコーディネート情報エリア２６（図１４参照）を参照することでコーディネートＩＤも分かる。こうして、情報表示装置１２１のＣＰＵ２２２は、図２７に示す一覧表示欄Ｄ１に表示されている特定のコーディネート写真がタッチ指定されると、これに紐付けられているコーディネートＩＤを認識することができる。
【０１３７】
二つ目の検索の仕方では、図２９に示す商品別コーディネート一覧画面Ｆにおいて、商品別コーディネート一覧画面Ｆに表示されているコーディネート写真のタッチ指定によって特定のコーディネートの選択がなされる。この場合、図２９に示す商品別コーディネート一覧画像Ｆ１に一覧表示されているコーディネート写真は、ホストコンピュータ１１のＨＤＤ１５に設けられている図１３に示すメタ画像蓄積エリア２５のバイナリデータに基づく。そこで、情報表示装置１２１のＣＰＵ２２２は、ホストコンピュータ１１にアクセスしてメタ画像蓄積エリア２５（図１３参照）を参照することで、そのバイナリデータと対応付けられている画像ＩＤを取得することができる。画像ＩＤが分かれば、ホストコンピュータ１１のＨＤＤ１５に設けられているコーディネート情報エリア２６（図１４参照）を参照することでコーディネートＩＤも分かる。こうして、情報表示装置１２１のＣＰＵ２２２は、図２９に示す商品別コーディネート一覧画像Ｆ１に表示されている特定のコーディネート写真がタッチ指定されると、これに紐付けられているコーディネートＩＤを認識することができる。
【０１３８】
三つ目の検索の仕方では、図２６のフローチャート中のステップＳ２１２の処理によって液晶ディスプレイ１２２に表示されるカテゴリ別のコーディネート一覧画像（図示せず）中のコーディネート写真のタッチ指定によって特定のコーディネートの選択がなされる。この場合においても、一つ目の検索の仕方及び二つ目の検索の仕方と同様に、情報表示装置１２１のＣＰＵ２２２は、カテゴリ別のコーディネート一覧画像（図示せず）中から特定のコーディネート写真がタッチ指定されると、これに紐付けられているコーディネートＩＤを認識することができる。
【０１３９】
図２６に示すフローチャートの説明に戻る。いずれの検索の仕方が採用されたとしても、情報表示装置１２１のＣＰＵ２２２は、特定のコーディネートが選択されると、そのコーディネートＩＤを認識することができる。そこで、ＣＰＵ２２２は、認識したコーディネートＩＤに基づいて関連の商品ＩＤを取得する（ステップＳ２１３）。ここでいう関連の商品ＩＤというのは、選択されたコーディネート画像に含まれている衣類である商品ＡＬを特定する商品ＩＤである。コーディネートＩＤから商品ＩＤを取得するには、ホストコンピュータ１１のＨＤＤ１５に設けられているコーディネート情報エリア２６（図１４参照）にアクセスすればよい。
【０１４０】
その後、情報表示装置１２１のＣＰＵ２２２は、選択されたコーディネートに対する割引ルール適用の有無を判定する（ステップＳ２１４）。この判定処理において、ＣＰＵ２２２は、ホストコンピュータ１１のＨＤＤ１５に設けられている商品マスタエリア２１（図９参照）にアクセスし、ステップＳ２１３で取得した商品ＩＤについてのカテゴリ情報、価格情報及び原価情報を取得する。そして、ＣＰＵ２２２は、割引ルールエリア２７にアクセスし（図１５参照）、商品マスタエリア２１（図９参照）にアクセスして取得したカテゴリ情報、価格情報及び原価情報に照らし該当する割引ルールがあるか否かを判定する。
【０１４１】
情報表示装置１２１のＣＰＵ２２２は、ステップＳ２１４の判定の結果、割引ルール適用ありと判定した場合（ステップＳ２１４のＹ）、特定のコーディネートが選択されることによって認識したコーディネートＩＤに対応するコーディネート画像を含むコーディネート画面Ｇを液晶ディスプレイ１２２に表示する（ステップＳ２１５）。情報表示装置１２１のＣＰＵ２２２は、ステップＳ２１４の判定の結果、割引ルール適用なしと判定した場合（ステップＳ２１４のＮ）、特定のコーディネートが選択されることによって認識したコーディネートＩＤに対応するコーディネート画像を含むコーディネート画面Ｇを液晶ディスプレイ１２２に表示する（ステップＳ２１６）。
【０１４２】
このようなコーディネート画面Ｇの表示に際して、ＣＰＵ２２２は、コーディネート画像の他に、コーディネート情報エリア２６（図１４参照）から取得したコーディネートＩＤに対応する詳細情報と、商品マスタエリア２１（図９参照）から取得した関連の商品ＩＤに対応する詳細情報（商品名称及び価格）と、その商品ＩＤに対応する価格に基づき計算される合計金額とを全て紐付けしてＲＡＭ２２５に一時記憶し、これらをコーディネート画面Ｇに表示する。この表示は、ステップＳ２１４の判定の結果、割引ルール適用ありと判定した場合であっても（ステップＳ２１４のＹ）、割引ルール適用なしと判定した場合であっても（ステップＳ２１４のＮ）、共通性を有している。
【０１４３】
これに対して、情報表示装置１２１のＣＰＵ２２２は、ステップＳ２１４の判定の結果、割引ルール適用ありと判定した場合（ステップＳ２１４のＹ）にのみコーディネート画面Ｇに特有の情報を表示する。この特有の情報は、割引後の合計金額である。つまり、ＣＰＵ２２２は、ステップＳ２１４で判定した該当する割引ルール情報を割引ルールエリア２７（図１５参照）から取得し、これをＲＡＭ２２５に一時記憶している。ＣＰＵ２２２は、その一時記憶する割引ルール情報に含まれている割引内容に基づいて割引後の合計金額を算出する。そして、ＣＰＵ２２２は、ステップＳ２１４で割引ルール適用ありを判定した場合にステップＳ２１５で表示するコーディネート画面Ｇには、その算出された割引後の合計金額を割引前の合計金額と共に表示する。
【０１４４】
図３０は、情報表示装置１２１の液晶ディスプレイ１２２に表示されるコーディネート画面Ｇの一例を示し、（ａ）は割引ルール適用なしの場合の模式図、（ｂ）は割引ルール適用ありの場合の模式図である。コーディネート画面Ｇには、コーディネート画像を表示するコーディネート画像表示エリアＧ１、店員情報表示エリアＧ２、コメント表示エリアＧ３、商品情報表示エリアＧ４、合計金額表示エリアＧ５という表示領域が確保されている。これらの表示領域には、図１４に示すコーディネート情報エリア２６及び図９に示す商品マスタエリア２１から検索される情報、及び、そのような情報に基づき算出される情報が表示される。
【０１４５】
つまり、コーディネート画像表示エリアＧ１には、コーディネート情報エリア２６の画像ＩＤに基づいて図１３に示すメタ画像蓄積エリア２５から検索されるバイナリデータに基づく画像表示がなされる。
【０１４６】
店員情報表示エリアＧ２には、コーディネート情報エリア２６の店員情報に記録されている店員名及び店舗名（テキストデータ）が表示される。
【０１４７】
コメント表示エリアＧ３には、コーディネート情報エリア２６のコメントに記録されているテキスト情報が表示される。
【０１４８】
商品情報表示エリアＧ４には、コーディネート情報エリア２６（図１４参照）のアイテム情報に記録されている商品名（テキストデータ）及び商品マスタエリア２１（図９参照）の価格が表示される。
【０１４９】
合計金額表示エリアＧ５には、商品マスタエリア２１（図９参照）の価格に基づいて計算される合計金額が表示される。そして、合計金額表示エリアＧ５には、割引ルール適用ありの場合（図２６のフローチャート中のステップＳ２１４のＹ）、割引後の合計金額も併せて表示される（図３０（ｂ）参照）。
【０１５０】
コーディネート画面Ｇには、それらの各エリアＧ１〜Ｇ５に加えて、戻るボタンＧ６及びログアウトボタンＧ７も表示されている。また、割引ルール適用ありの場合には（図２６のフローチャート中のステップＳ２１４のＹ）、クーポン発行ボタンＧ８も表示されている。
【０１５１】
ここで、コーディネート画面Ｇのコーディネート画像表示エリアＧ１に表示されるコーディネート写真は、図１４に示すコーディネート情報エリア２６の利用範囲に記録されている定義に従って表示される。例えば、コーディネート情報エリア２６中のコーディネートＩＤによって特定されるコーディネートの利用範囲ＩＤがＢ又はＣとして定義されている場合には、その利用範囲は自他いずれの店舗Ｓでも良いとの定義なので（図１２参照）、コーディネート画像表示エリアＧ１には、自他いずれの店舗Ｓにおいてもコーディネート写真が表示されることになる。これに対して、コーディネートＩＤによって特定されるコーディネートの利用範囲ＩＤがＡとして定義されている場合には、その利用範囲は自店舗内での利用との定義なので（図１２参照）、コーディネート画像表示エリアＧ１には、コーディネートＩＤに紐付けされている店員の自店舗Ｓでのみコーディネート写真が表示されることになる。
【０１５２】
また、コーディネート画面Ｇの商品情報表示エリアＧ４に表示されている商品名等（テキストデータ）は、個々に、タッチパネル１２５によってタッチ指定可能なオブジェクトとして表示されている。つまり、図３０に示す一例では、「メタリックショートパンツ」、という品名の商品ＡＬと、「マフラー」という品名の商品ＡＬと、「ワンピ」という品名の商品ＡＬとが表示されている。これらの品名表示は、個々にタッチパネル１２５によってタッチ指定可能なオブジェクトである。したがって、「メタリックショートパンツ」と「マフラー」と「ワンピ」とを独立して選択指定することができる。
【０１５３】
図２６に示すフローチャートの説明に戻る。情報表示装置１２１のＣＰＵ２２２は、図２６のフローチャートに示す処理とは別ルーチンで、イベント監視ルーチンをマルチタスク処理によって実行している。このイベント監視ルーチンでは、図２７に示すコーディネート一覧画面Ｄ中の戻るボタンＤ５又はログアウトボタンＤ６、図２８に示すタグ情報待機画面Ｅ及び図２９に示す商品別コーディネート一覧画面Ｆ中の戻るボタンＥ５又はログアウトボタンＥ６、図３０に示すコーディネート画面Ｇ中の戻るボタンＧ６又はログアウトボタンＧ７のタッチパネル１２５によるタッチ指定の有無というイベントを監視している。したがって、図２６に示すフローチャートの処理は、ログアウトボタンＤ６、Ｅ６、Ｇ７のタッチ指定によって終了する。
【０１５４】
また、情報表示装置１２１のＣＰＵ２２２は、図３０（ｂ）に示すコーディネート画面Ｇでは、クーポン発行ボタンＧ８のタッチパネル１２５によるタッチ指定の有無というイベントを監視している。ＣＰＵ２２２は、クーポン発行ボタンＧ８のタッチパネル１２５によるタッチ指定を判定すると、プリンタ１３２を駆動制御してクーポン券Ｃを印字発行させる。情報表示装置１２１のＣＰＵ２２２は、そのクーポン券Ｃに、コーディネート画面Ｇ中の商品情報表示エリアＧ４に表示する商品ＡＬの情報と、合計金額表示エリアＧ５に表示する合計金額と割引後の合計金額との差額、換言すると割引金額の情報とを印字する。これにより、会計時にクーポン券Ｃを店員まで持ち寄れば、割引金額分の割り引きを行なうことができる。
【０１５５】
以上説明したように、コーディネート情報閲覧フェーズでは、コーディネート画面Ｇ中の合計金額表示エリアＧ５には、割引ルール適用ありの場合（図２６のフローチャート中のステップＳ２１４のＹ）、割引後の合計金額も併せて表示される。これにより、顧客に割引情報である割引後の合計金額を含むコーディネート画面Ｇを閲覧させることで、コーディネートによる美的側面からの商品の訴求効果に、値引きによる経済的側面からの購買意欲増進効果を加味させることができる。その結果、販売促進を図ることができる。
【０１５６】
６．決済フェーズ
決済フェーズは、情報表示装置１２１が設置されている個々の店舗Ｓで実行される。このフェーズは、顧客が購入する商品ＡＬをＰＯＳ端末１４１が設置されている会計所まで持ち寄ることをきっかけとして、ＰＯＳ端末１４１によって実行されるフェーズである。以下、図３１に基づいて、決済フェーズについて説明する。
【０１５７】
図３１は、ＰＯＳ端末１４１で実行される決済処理の流れを示すフローチャートである。ＰＯＳ端末１４１のＣＰＵ２４２は、登録モード時、店員用ディスプレイ１４４及び顧客用ディスプレイ１４９に商品登録業務の画面表示を行なう（ステップＳ３０１）。この状態で、ＰＯＳ端末１４１は、顧客が購入しようとする全ての商品ＡＬについて、商品ＩＤの読み取りとその登録とを許容する（ステップＳ３０２）。商品ＩＤの読み取りは、一例として、商品ＡＬに付されている無線タグＲＴに記録されている商品ＩＤ（商品コード）をＲＦＩＤリーダライタ１５１によって読み取ることで行なわれる。ＰＯＳ端末１４１は、商品ＩＤの読み取り登録処理後（ステップＳ３０２）、キーボード１４３中の締めキー押下があると（ステップＳ３０３）、レシートプリンタ１４８でのレシートＲの印字発行等を伴う決済処理を実行する（ステップＳ３０７）。
【０１５８】
ＰＯＳ端末１４１は、ステップＳ３０３での締めキー押下判定からステップＳ３０７での決済処理に先立ち、割引有無の判定処理（ステップＳ３０４）とそれに続く割引処理（ステップＳ３０５）とを実行する。つまり、ＰＯＳ端末１４１のＣＰＵ２４２は、ホストコンピュータ１１のＨＤＤ１５に設けられている商品マスタエリア２１（図９参照）にアクセスし、ステップＳ３０２で登録した商品ＩＤについてのカテゴリ情報、価格情報及び原価情報を取得してＲＡＭ２４５に一時記憶する。そして、ＣＰＵ２４２は、ホストコンピュータ１１のＨＤＤ１５に設けられている割引ルールエリア２７（図１５参照）にアクセスし、商品マスタエリア２１（図９参照）にアクセスして取得しＲＡＭ２４５に一時記憶しているカテゴリ情報、価格情報及び原価情報に照らし、該当する割引ルールがあるか否かを判定する。
【０１５９】
ＰＯＳ端末１４１のＣＰＵ２４２は、ステップＳ３０４の判定の結果、割引ルール適用ありと判定した場合（ステップＳ３０４のＹ）、割引ルールエリア２７（図１５参照）に定義されているその適用ある割引ルールデータをＲＡＭ２４５に一時記憶する。そして、一時記憶した割引ルールデータ中の割引内容に相当する割引金額算出処理を実行し、こうして算出した割引金額を売上合計金額から差し引いた割引後の合計金額を求め、これを店員用ディスプレイ１４４及び顧客用ディスプレイ１４９に表示する（ステップＳ３０５）。
【０１６０】
これに対して、ＰＯＳ端末１４１のＣＰＵ２４２は、ステップＳ３０４の判定の結果、割引ルール適用なしと判定した場合（ステップＳ３０４のＮ）、売上合計金額を店員用ディスプレイ１４４及び顧客用ディスプレイ１４９に表示する（ステップＳ３０６）。
【０１６１】
ＰＯＳ端末１４１のＣＰＵ２４２は、これらのステップＳ３０５又はステップＳ３０６の処理を経て、上記決済処理を実行する（ステップＳ３０７）。
【０１６２】
したがって、本実施の形態のＰＯＳ端末１４１によれば、割引条件を満たす商品が購入される場合に割引処理を行うことができるので、自由なコーディネートを犠牲にすることなく値引きによる販売促進を図り得るコーディネート販売の実現を支援することができるという情報蓄積装置１０１の作用効果を決済という場面で補強することができる。
【符号の説明】
【０１６３】
１２１  情報表示装置
１２２  液晶ディスプレイ（表示部）
１２５  タッチパネル（操作入力部）
２２１  マイクロコンピュータ（情報処理部）
２２５  ＲＡＭ（メモリ）
【先行技術文献】
【特許文献】
【０１６４】
【特許文献１】特開２００５−０９９８９１号公報
【図１】
0005463327.tif 000002
【図２】
0005463327.tif 000003
【図３】
0005463327.tif 000004
【図４】
0005463327.tif 000005
【図５】
0005463327.tif 000006
【図６】
0005463327.tif 000007
【図７】
0005463327.tif 000008
【図８】
0005463327.tif 000009
【図９】
0005463327.tif 000010
【図１０】
0005463327.tif 000011
【図１１】
0005463327.tif 000012
【図１２】
0005463327.tif 000013
【図１３】
0005463327.tif 000014
【図１４】
0005463327.tif 000015
【図１５】
0005463327.tif 000016
【図１６】
0005463327.tif 000017
【図１７】
0005463327.tif 000018
【図１８】
0005463327.tif 000019
【図１９】
0005463327.tif 000020
【図２０】
0005463327.tif 000021
【図２１】
0005463327.tif 000022
【図２２】
0005463327.tif 000023
【図２３】
0005463327.tif 000024
【図２４】
0005463327.tif 000025
【図２５】
0005463327.tif 000026
【図２６】
0005463327.tif 000027
【図２７】
0005463327.tif 000028
【図２８】
0005463327.tif 000029
【図２９】
0005463327.tif 000030
【図３０】
0005463327.tif 000031
【図３１】
0005463327.tif 000032